(57)【要約】【課題】異物が侵入して信頼性が低下することを防ぐこと。【解決手段】テーブルタップ１は、第２差込口２２を有する器体１０とＵＳＢコネクタ７とカバー８とを備える。カバー８は、カバー対象となる第２差込口２２を覆う第１の位置と第２差込口２２を露出する第２の位置との間で器体１０に対してスライド移動可能である。器体１０は、第２差込口２２が設けられた第１端面と、ＵＳＢプラグ１０２の導体１０２０が差し込まれる差込方向に沿う第２端面と、を有する。カバー８は、第１端面に対向する第１対向面と、第２端面に対向する第２対向面と、を有する。カバー８は、第１対向面が第１端面に沿い、かつ、第２対向面が第２端面に沿うように、第１の位置と第２の位置との間でスライド移動する。【選択図】図１３
2018174111.tif 000002
【特許請求の範囲】
【請求項１】
差込口を有する器体と、
前記器体に収容され、前記差込口に差し込まれたプラグの導体が電気的に接続されることで前記導体に直流電力の供給がなされるコネクタと、
前記器体に取り付けられて、カバー対象となる前記差込口を覆う第１の位置と前記差込口を露出する第２の位置との間で前記器体に対してスライド移動可能なカバーと、を備え、
前記器体は、前記差込口が設けられた第１端面と、前記導体が差し込まれる差込方向に沿う第２端面と、を有し、
前記カバーは、前記第１端面に対向する第１対向面と、前記第２端面に対向する第２対向面と、を有し、
前記カバーは、前記第１対向面が前記第１端面に沿い、かつ、前記第２対向面が前記第２端面に沿うように、前記第１の位置と前記第２の位置との間でスライド移動するように構成されている
テーブルタップ。
【請求項２】
前記カバーを、複数備え、
前記器体は、前記差込口を複数有し、
複数の前記カバーの各々の前記カバー対象は、１つ以上の前記差込口であり、
複数の前記カバーの各々は、前記カバー対象に対して、他の前記カバーとは独立してスライド移動可能である
請求項１に記載のテーブルタップ。
【請求項３】
複数の前記カバーは、対となる２つの前記カバーを少なくとも含み、
複数の前記差込口は、対となる２つの前記差込口を少なくとも含み、
対となる２つの前記カバーの前記カバー対象は、対となる２つの前記差込口であり、
前記器体は、前記第１端面において、対となる２つの前記差込口の間に溝を有し、
対となる２つの前記カバーは、前記カバーがスライド移動するスライド方向において、互いに対向する一端部をそれぞれ有し、
対となる２つの前記カバーは、
一方の前記カバーが、前記第１の位置から前記第２の位置へスライド移動するとき、他方の前記カバーから離れ、
一方の前記カバーが、前記第２の位置から前記第１の位置へスライド移動するとき、他方の前記カバーに近づくように構成され、
対となる２つの前記カバーは、いずれもが前記第１の位置にあるとき、前記差込方向の一方から見て、前記一端部同士が前記溝に沿って互いに合わさるように構成されている
請求項２に記載のテーブルタップ。
【請求項４】
前記器体は、前記第１端面における前記差込口を囲む領域から突出したせき部を更に有している
請求項１〜３のいずれか１項に記載のテーブルタップ。
【請求項５】
前記器体は、前記第１端面における前記差込口を囲む領域から突出したせき部を更に有し、
前記溝は、対となる２つの前記差込口をそれぞれ囲む２つの前記せき部の互いに対向する対向壁によって形成されている
請求項３に記載のテーブルタップ。
【請求項６】
前記カバーが前記第２の位置から前記第１の位置へスライド移動する向きの弾性力を前記カバーに付与する弾性材を、更に備える
請求項１〜５のいずれか１項に記載のテーブルタップ。
【請求項７】
前記カバーは、前記第１対向面において、前記カバーがスライド移動するスライド方向における両端のうち少なくとも一方の端に、前記第１端面に近づく向きに突出した突出部を有している
請求項１〜６のいずれか１項に記載のテーブルタップ。
【請求項８】
前記器体は、前記第２端面において、スリットを更に有し、
前記カバーは、前記第２対向面において、前記スリットの縁部に引っ掛けられる引掛爪を有し、
前記引掛爪は、前記スリットの縁部に引っ掛けられた状態において、その先端部から前記差込方向に沿って突出する突出片を有している
請求項１〜７のいずれか１項に記載のテーブルタップ。
【請求項９】
前記器体は、前記第２端面において、前記カバーがスライド移動するスライド方向に沿って延びているガイド溝を更に有し、
前記カバーは、前記第２対向面において、前記ガイド溝に嵌め込まれて、前記ガイド溝によって前記第２端面に沿い前記スライド方向に交差する方向への移動が規制されるガイドリブを有している
請求項１〜８のいずれか１項に記載のテーブルタップ。
【請求項１０】
前記器体は、前記第１端面において、前記カバーがスライド移動するスライド方向に沿って延びている凹所を更に有し、
前記カバーは、前記第１対向面において、前記凹所に嵌め込まれて、前記凹所によって前記第１端面に沿い前記スライド方向に交差する方向への移動が規制されるガイド片を有している
請求項１〜９のいずれか１項に記載のテーブルタップ。
【発明の詳細な説明】
【技術分野】
【０００１】
本発明は、テーブルタップに関する。
【背景技術】
【０００２】
従来例として、特許文献１記載のテーブルタップを例示する。この従来例は、タップ本体の一面に、一対の刃を有する電源プラグを接続するための複数の刃受け口を備えている。複数の刃受け口は、２穴で一対として区別することなく全て等間隔で一列に配列されており、ユーザは、電源プラグの差し込み位置を自由に選択することができる。
【０００３】
また、この従来例のテーブルタップは、ＵＳＢ（Universal Serial Bus）プラグが接続可能なメス側のコネクタから成るＵＳＢ端子も備えている。ＵＳＢプラグが差し込まれるための差込口は、複数の刃受け口が設けられているタップ本体の一面とは別の面（側面）に設けられている。
【先行技術文献】
【特許文献】
【０００４】
【特許文献１】特開２０１５−２３３０１６号公報
【発明の概要】
【発明が解決しようとする課題】
【０００５】
ところで、この従来例のテーブルタップでは、ＵＳＢプラグが差し込まれていない状態において、ＵＳＢ端子がタップ本体の差込口を通じて露出している。例えば、机に載せ置かれているこのテーブルタップの傍で人が飲食を行なっているときに、飲み物等の液体をこぼしたり、又は食べ物等のかす（固形物）を落としたりすると、これらが差込口から入り込む可能性があった。すなわち、異物の侵入によってＵＳＢ端子の接触不良あるいは周辺の電子部品の破損を引き起こし、信頼性の低下を招く可能性があった。
【０００６】
本発明は上記事由に鑑みてなされ、異物が侵入して信頼性が低下することを防ぐことができるテーブルタップを提供することを目的とする。
【課題を解決するための手段】
【０００７】
本発明の一態様に係るテーブルタップは、差込口を有する器体とコネクタとカバーとを備える。前記コネクタは、前記器体に収容され、前記差込口に差し込まれたプラグの導体が電気的に接続されることで前記導体に直流電力の供給がなされる。前記カバーは、前記器体に取り付けられて、カバー対象となる前記差込口を覆う第１の位置と前記差込口を露出する第２の位置との間で前記器体に対してスライド移動可能である。前記器体は、前記差込口が設けられた第１端面と、前記導体が差し込まれる差込方向に沿う第２端面と、を有する。前記カバーは、前記第１端面に対向する第１対向面と、前記第２端面に対向する第２対向面と、を有する。前記カバーは、前記第１対向面が前記第１端面に沿い、かつ、前記第２対向面が前記第２端面に沿うように前記第１の位置と前記第２の位置との間でスライド移動するように構成されている。
【発明の効果】
【０００８】
本発明は、異物が侵入して信頼性が低下することを防ぐことができる、という利点がある。
【図面の簡単な説明】
【０００９】
【図１】図１は、本発明の一実施形態に係るテーブルタップの上方から見た分解斜視図である。
【図２】図２は、同上のテーブルタップの上方から見た斜視図である。
【図３】図３は、同上のテーブルタップの下方から見た分解斜視図である。
【図４】図４は、同上のテーブルタップの外カバーが取り外された状態の平面図である。
【図５】図５Ａは、同上のテーブルタップの外ボディの平面図である。図５Ｂは、図５ＡのＡ−Ａ線断面図である。
【図６】図６は、同上の外カバーの底面図である。
【図７】図７Ａは、同上のテーブルタップの要部の平面図である。図７Ｂは、同上のテーブルタップの要部の正面図である。
【図８】図８Ａは、同上のテーブルタップのカバーの側面図である。図８Ｂは、同上のカバーの底面図である。
【図９】図９は、同上のカバーの下方から見た斜視図である。
【図１０】図１０は、同上のテーブルタップの要部を示し、一方のカバーのみが第２の位置にあるときの斜視図である。
【図１１】図１１は、同上のテーブルタップの要部を示し、両方のカバーが第２の位置にあるときの斜視図である。
【図１２】図１２は、同上のテーブルタップの要部を示し、ＵＳＢプラグが一方の第２差込口に差し込まれているときの斜視図である。
【図１３】図１３は、同上のテーブルタップの要部を示し、ＵＳＢプラグが他方の第２差込口に差し込まれているときの斜視図である。
【図１４】図１４は、同上のテーブルタップの要部を示し、２つのＵＳＢプラグが両方の第２差込口に差し込まれているときの斜視図である。
【図１５】図１５Ａは、図７ＡにおけるＢ−Ｂ線断面図である。図１５Ｂは、図１５Ａの要部拡大図である。
【発明を実施するための形態】
【００１０】
（１）概要
以下に説明する構成は、本発明の一例に過ぎず、本発明は、下記の構成に限定されることはなく、下記の構成以外であっても、本発明に係る技術的思想を逸脱しない範囲であれば、設計等に応じて種々の変更が可能である。
【００１１】
本実施形態のテーブルタップ１は、一方向に沿って長尺の器体１０を備えている。テーブルタップ１は、図２に示すように、各々に電気器具等の電源コードの差込プラグ１０１（第１プラグ）が接続可能な４個口のコンセントを有している。すなわち、器体１０は、差込プラグ１０１の導体（一対の栓刃１０１Ａ及び接地端子１０１Ｂ）が差し込まれる差込口２１を４つ有している。器体１０から引き出されている電源コード６が、例えば壁等に設けられたコンセントに接続されることで、外部電源（例えば商用の交流電源）からの交流電力を供給することができる。つまり、例えば電気器具が壁に設けられたコンセントから離れた場所に設置されていても、テーブルタップ１の差込口２１に電気器具の差込プラグ１０１を差し込むことで、電気器具は、テーブルタップ１を介して交流電力を受け取ることができる。電源コード６は、壁等に設けられたコンセントに接続される電源プラグではなく、ジョイントボックスに接続されるハーネスプラグを有していてもよい。
【００１２】
器体１０は、更に差込口２２を有している（図７Ａ参照）。また、テーブルタップ１は、コネクタ７とカバー８とを備えている。コネクタ７は、器体１０に収容され、差込口２２に差し込まれたプラグ１０２の導体１０２０（図１３参照）と電気的に接続されることで導体１０２０に直流電力の供給がなされる。
【００１３】
本実施形態では、差込口２２に差し込まれる「プラグ１０２」とは、一例として、ＵＳＢ（Universal Serial Bus）プラグ１０２（第２プラグ）である（図１２〜図１４参照）。したがって、コネクタ７は、ＵＳＢプラグ１０２が挿入されて接続可能なＵＳＢコネクタ７（ソケット）である。要するに、テーブルタップ１は、例えば携帯端末機器等に内蔵されているバッテリを充電するための直流電力を供給できるようにＵＳＢポート（一例として２つ）を備えている。ただし、コネクタ７は、ＵＳＢプラグ１０２が接続されるＵＳＢコネクタ以外にも、例えば、ＶＧＡ（Video Graphics Array）端子が接続されるＶＧＡコネクタであってもよい。
【００１４】
以下の説明では、テーブルタップ１において、差込口２１と差込口２２を区別するために、「第１差込口２１」「第２差込口２２」と呼ぶ。また、以下では、説明を簡略化するために、テーブルタップ１において、第１差込口２１を通じて交流電力を供給するための構成部分を「第１ブロック１Ａ」と呼ぶ。また、テーブルタップ１において、第２差込口２２を通じて直流電力を供給するための構成部分を「第２ブロック１Ｂ」と呼ぶ。第１ブロック１Ａは、器体１０において、図１及び図２の二点鎖線Ａ１よりも左側の部分に相当する。第２ブロック１Ｂは、二点鎖線Ａ１よりも右側の部分に相当する。
【００１５】
本実施形態のカバー８は、器体１０に取り付けられて、カバー対象となる第２差込口２２を覆う第１の位置と第２差込口２２を露出する第２の位置との間で器体１０に対してスライド移動可能である。本実施形態では、第２差込口２２の数が２つであるため、テーブルタップ１は、一例として、対となる２つのカバー８を有している（図１参照）。器体１０は、第２差込口２２が設けられた第１端面２００１（天板２０Ｂの上面）と、ＵＳＢプラグ１０２の導体１０２０が差し込まれる差込方向に沿う第２端面２００３（第１側板２１Ｂの外表面）と、を有する（図１参照）。カバー８は、第１端面２００１に対向する第１対向面８１０（本体部８１の下面）と、第２端面２００３に対向する第２対向面８２０（側部８２の内表面）と、を有する（図９参照）。カバー８は、第１対向面８１０が第１端面２００１に沿い、かつ、第２対向面８２０が第２端面２００３に沿うように、第１の位置と第２の位置との間でスライド移動するように構成されている。
【００１６】
この構成では、テーブルタップ１がスライド移動可能なカバー８を有しているため、ＵＳＢプラグ１０２が差し込まれていない状態において、第２差込口２２を覆うことができる。したがって、埃、飲み物等の液体、及び食べ物等のかすといった異物が侵入して信頼性が低下することを防ぐことができる。特に、カバー８は、第１端面２００１に対向する第１対向面８１０と、第２端面２００３に対向する第２対向面８２０と、を有している。その結果、例えばカバー８が単に第２差込口２２及びその周縁のみを覆う場合に比べて、差込方向と交差する方向からの異物の侵入も低減することができる。
【００１７】
（２）詳細
（２．１）全体構成
以下、本実施形態のテーブルタップ１について、図１〜図１５を参照して詳しく説明する。以下では、特に断りの無い限り、テーブルタップ１の上下、左右、前後の方向を、図１に図示されている上下、左右、前後の矢印を用いて規定して説明する。つまり、一例として、テーブルタップ１の器体１０の長手方向が左右方向、器体１０の短手方向（幅方向）が前後方向となる。ＵＳＢプラグ１０２の導体１０２０が差し込まれる差込方向が下方向となる。ただし、これらの方向はテーブルタップ１の使用方向を限定する趣旨ではない。また、図面中の各方向を示す矢印は説明のために表記しているに過ぎず、実体を伴わない。本実施形態では、テーブルタップ１が机等の水平な面に載せ置かれていることを想定して説明するが、特に限定されるものではない。
【００１８】
テーブルタップ１は、「（１）概要」の欄で説明したように、左右方向に沿って長尺の器体１０を有している。器体１０は、左右方向に長尺で下面が開放された略矩形箱状の外カバー２と、左右方向に長尺で上面が開放された略矩形箱状の外ボディ３とを有している。また、器体１０は、４つの中カバー４Ａと、中ボディ４Ｂと、を有している。外カバー２と外ボディ３とは、互いの開放された面同士が対向するように取り付けられている。４つの中カバー４Ａと中ボディ４Ｂは、外カバー２と外ボディ３とによって収容されている。
【００１９】
テーブルタップ１は、「（１）概要」の欄で説明したように、図１及び図２の二点鎖線Ａ１を境界線として第１ブロック１Ａと第２ブロック１Ｂとから構成されている。二点鎖線Ａ１は、説明の便宜上図示されていて、実体を伴わない想像線である。
【００２０】
外カバー２において、二点鎖線Ａ１よりも左側の部分が第１ブロック１Ａの第１外カバー２Ａとなり、二点鎖線Ａ１よりも右側の部分が第２ブロック１Ｂの第２外カバー２Ｂとなる。第１外カバー２Ａと第２外カバー２Ｂは、一体となって形成されている。なお、器体１０の「壁部」とは、後述する天板２０Ｂに相当し、「第１壁部」とは、後述する天板２０Ａ及び天板２０Ｂに相当し、器体１０の「第２壁部」は、底板３０Ａ及び３０Ｂに相当し第１壁部に対向している。
【００２１】
外ボディ３において、二点鎖線Ａ１よりも左側の部分が第１ブロック１Ａの第１外ボディ３Ａとなり、二点鎖線Ａ１よりも右側の部分が第２ブロック１Ｂの第２外ボディ３Ｂとなる。第１外ボディ３Ａと第２外ボディ３Ｂは、一体となって形成されている。以下では、第１ブロック１Ａを先に説明してから第２ブロック１Ｂの説明を行う。
【００２２】
（２．２）第１ブロック
（２．２．１）第１ブロックの全体構成
第１ブロック１Ａは、電気器具の差込プラグ１０１を差し込むことで、外部電源（例えば商用の交流電源）からの交流電源を供給することが可能な４個口のコンセントを有している。具体的には、第１ブロック１Ａは、第１外カバー２Ａと第１外ボディ３Ａと４つの中カバー４Ａと中ボディ４Ｂと端子ブロック５と電源コード６と２つの吸着部９（９Ａ，９Ｂ）を備えている。
【００２３】
（２．２．２）第１外カバー
第１外カバー２Ａは、例えばＡＢＳ樹脂などの熱可塑性樹脂で形成されている。第１外カバー２Ａは、図１に示すように、天板２０Ａと一対の第１側板２１Ａ，２１Ａと第２側板２２Ａとで、下面及び右面が開放された扁平な箱状に形成されている。天板２０Ａ及び一対の第１側板２１Ａのいずれの右端も第２ブロック１Ｂの第２外カバー２Ｂにつながっている。
【００２４】
天板２０Ａは、上下方向の一方から見たときに、左右方向に長い矩形板状である。天板２０Ａは、その厚み方向（上下方向）に貫通している４つの貫通孔２０１を有している（図１参照）。４つの貫通孔２０１は、左右方向に沿って等間隔に設けられている。各貫通孔２０１は、上下方向の一方から見たときに、矩形状となっている。
【００２５】
天板２０Ａは、その下面において下方に突出する一対のボス２０２と１つのボス２０３と（図３及び図６参照）を有している。各ボスは、円筒状であり、ねじ孔を有している。一対のボス２０２は、天板２０Ａの下面における左端付近において、前後端寄りにそれぞれ設けられている。ボス２０３は、左から３番目の貫通孔２０１と４番目の貫通孔２０１との間における、前後方向の略中央に設けられている。これらの３つのボスは、第１外ボディ３Ａの後述する３つのボスと、それぞれ一対一に対応して接触する。
【００２６】
また、天板２０Ａは、その下面において下方に突出する一対の引掛部２０４を４組有している（すなわち、合計８つ）。各組の引掛部２０４は、図６に示すように、４つの貫通孔２０１のうち対応する貫通孔２０１における前縁と後縁とに設けられている。各引掛部２０４は、前後方向の一方から見たときに、矩形板状に形成されている。引掛部２０４は、その先端に、対となる引掛部２０４に近づく向きに突出する爪２０４Ａを有している。
【００２７】
また、天板２０Ａは、図３及び図６に示すように、その下面において下方に突出する一対の位置決め壁２０５を４組有している（すなわち、合計８つ）。各組の位置決め壁２０５は、対応する貫通孔２０１における左縁と右縁とに設けられている。各位置決め壁２０５は、左右方向の一方から見たときに、おおむね矩形板状に形成されている。各位置決め壁２０５の前後両端は、それぞれ、第１側板２１Ａ，２１Ａの互いに対向する内面に対して一体となって形成されている。
【００２８】
更に、天板２０Ａは、その下面における左端付近において、第１外ボディ３Ａの後述する第２受部３０８とともに電源コード６を受けるための第１受部２０６を有している。第１受部２０６は、下方に突出する一対の壁２０６Ａを有している。一対の壁２０６Ａは、左右方向において互いに対向する。各壁２０６Ａは、その下端において、左右方向の一方から見たときに上方へ半円状に凹んだ半円溝２０６Ｂを有している（図３参照）。
【００２９】
一対の第１側板２１Ａは、天板２０Ａの前後方向における両端から下方に突出している。各第１側板２１Ａは、前後方向の一方から見たときに、細長い矩形板状に形成されている。第２側板２２Ａは、天板２０Ａの左端から下方に突出している。第２側板２２Ａは、左右方向の一方から見たときに、全体として略矩形板状に形成されていて、上方へ半円状に凹んだ第１半円溝２２０を有している（図３参照）。第１半円溝２２０は、第１外カバー２Ａが第１外ボディ３Ａに取り付けられたときに、第１外ボディ３Ａの後述する第２半円溝３２０とともに１つの通線孔を形成する。
【００３０】
（２．２．３）第１外ボディ
第１外ボディ３Ａは、第１外カバー２Ａと同様に、例えばＡＢＳ樹脂などの熱可塑性樹脂で形成されている。第１外ボディ３Ａは、図３及び図５Ａに示すように、底板３０Ａと一対の第１側板３１Ａ，３１Ａと第２側板３２Ａとで、上面及び右面が開放された扁平な箱状に形成されている。底板３０Ａ及び一対の第１側板３１Ａのいずれの右端も第２ブロック１Ｂの第２外ボディ３Ｂにつながっている。
【００３１】
底板３０Ａは、上下方向の一方から見たときに、左右方向に長い矩形板状である。底板３０Ａは、その上面に、上方に突出する一対のボス３０３と１つのボス３０２とを有している（図５Ａ参照）。各ボスは、円筒状であり、上下方向に貫通する挿通孔３０４を有している。一対のボス３０３は、底板３０Ａの上面における左端付近において、前後端寄りにそれぞれ設けられていて、第１外カバー２Ａの一対のボス２０２の先端とそれぞれ接触するように構成されている。ボス３０２は、第１外カバー２Ａのボス２０３の先端と接触するように構成されている。
【００３２】
また、底板３０Ａは、その上面に、上方に突出する位置決め筒３０５を有している（図５Ａ参照）。位置決め筒３０５は、上端面が開口した円筒状に形成されている。位置決め筒３０５は、底板３０Ａの前後方向の略中央において、左右方向にボス３０３と並ぶ。
【００３３】
底板３０Ａは、その上面に、中ボディ４Ｂ及び端子ブロック５の位置決めを行うための複数のリブ３０６を有している（図５Ａ参照）。また、底板３０Ａは、その上面に、中ボディ４Ｂを固定するための一対の係止部３０７を２組（すなわち合計４つ）有している。複数のリブ３０６は、矩形板状であり、上方に突出している。各組の係止部３０７は、前後方向において互いに対向するように配置されている。各係止部３０７は、前後方向の一方から見たときに、矩形板状に形成されている。各係止部３０７は、その先端において対となる係止部３０７に近づく向きに突出する爪３０７Ａを有している。
【００３４】
さらに、底板３０Ａは、その上面の左端付近において、第１外カバー２Ａの第１受部２０６とともに電源コード６を受けるための第２受部３０８を有している（図５Ａ参照）。第２受部３０８は、前後方向において互いに対向する一対の起立片３０８Ａと、一対の起立片３０８Ａを繋ぐ連結片３０８Ｂと、を有している。第２受部３０８は、各起立片３０８Ａから他方の起立片３０８Ａに向かって突出する２つの突起３０８Ｃを更に有している。要するに、第２受部３０８は、合計４つの突起３０８Ｃを有している。
【００３５】
各起立片３０８Ａは、前後方向の一方から見たときに、矩形板状であり、上方向に突出している。連結片３０８Ｂは、左右方向の一方から見たときに、上端に下方へ半円状に凹んだ窪みを有している。電源コード６の３本の電線６１〜６３（図４参照）を束ねているシース６０の先端部分は、器体１０内において当該窪みに載せ置かれている。４つの突起３０８Ｃは、シース６０の先端部分に接触しており、前後方向に対する電源コード６の変位を規制する。第１外カバー２Ａの第１受部２０６は、第２側板３２Ａと一対の起立片３０８Ａと連結片３０８Ｂとによって囲まれた収容空間内に収容されている。シース６０の先端部分は、連結片３０８Ｂと第１受部２０６の一対の壁２０６Ａとによって上下方向における変位が規制されている。要するに、第１外カバー２Ａ及び第１外ボディ３Ａは、器体１０内において電源コード６のシース６０を安定的に支持するように構成されている。
【００３６】
また、底板３０Ａは、その下面の左右方向の両端付近において、２つの吸着部９Ａ，９Ｂがそれぞれ収容されるための２つの収容凹所３６（３６Ａ，３６Ｂ）を有している（図３参照）。具体的には、吸着部９Ａは、底板３０Ａの下面の左端付近に設けられた収容凹所３６Ａ内に収容され、吸着部９Ｂは、底板３０Ａの下面の右端付近に設けられた収容凹所３６Ｂ内に収容されている。各収容凹所３６は、上下方向の一方から見たときに矩形状に形成されていて、上方に向かって窪んでいる。
【００３７】
また、底板３０Ａは、その上面において、各収容凹所３６に対応する領域の面が周囲の面に比べて一段高くなるように形成されている。言い換えると、底板３０Ａは、その上面において上方に向かって矩形状に突出した２つの突出台３７（３７Ａ，３７Ｂ）を有している（図５Ａ参照）。各突出台３７と後ろ側の第１側板３１Ａは、それらの間に隙間が形成されるように互いに対向している。一方、各突出台３７と前側の第１側板３１Ａとは、隙間無く一体となって形成されている。
【００３８】
底板３０Ａは、各収容凹所３６の内底面における前寄りの位置において、下方に向かって突出しさらに先端が内向きに突出した係止爪３６０を有している（図３参照）。また、底板３０Ａは、各収容凹所３６の後ろ側の内側面において、突出台３７の後端面にまで貫通した係止孔３６１を有している（図５Ａ参照）。
【００３９】
ここで、本実施形態の底板３０Ａは、図５Ａに示すように、器体１０の外部空間と器体１０の内部空間とをつなげる一対の排水口１８（１８Ａ，１８Ａ）及び一対の排水口１８（１８Ｂ，１８Ｂ）を有している。一対の排水口１８Ａは、突出台３７Ａの上端面における前端付近において、上下方向に貫通しており、左右方向に沿って互いに並んでいる。一対の排水口１８Ｂは、突出台３７Ｂの上端面における前端付近において、上下方向に貫通しており、左右方向に沿って互いに並んでいる。一対の排水口１８Ａは、底板３０Ａを下方から見たときに、収容凹所３６Ａ内の係止爪３６０の左右両脇に配置されている。また、一対の排水口１８Ｂも、底板３０Ａを下方から見たときに、収容凹所３６Ｂ内の係止爪３６０の左右両脇に配置されている。
【００４０】
一対の第１側板３１Ａは、底板３０Ａの前後方向における両端から上方に突出している。各第１側板３１Ａは、前後方向の一方から見たときに、細長い矩形板状に形成されている。第２側板３２Ａは、底板３０Ａの左端から上方に突出している。第２側板３２Ａは、左右方向の一方から見たときに、矩形板状に形成されており、下方へ半円状に凹んだ第２半円溝３２０（図４参照）を有している。第２半円溝３２０は、第１外カバー２Ａの第１半円溝２２０とともに１つの通線孔を形成する。電源コード６は、当該通線孔を通じて、器体１０内から引き出されている。
【００４１】
（２．２．４）中カバー
各中カバー４Ａは、例えばユリア樹脂などの熱硬化性樹脂で形成されている。各中カバー４Ａは、図１及び図４に示すように、全体として扁平な直方体形状に形成されている。各中カバー４Ａは、上方から見たときに矩形状の外形を有する本体部４０と、本体部４０の周縁縁から外方に突出しているフランジ部４１とを有している。フランジ部４１は、本体部４０の前縁と後縁の各々の左右方向における中央付近には形成されていない。言い換えると、各中カバー４Ａは、その前端部と後端部とにおいて、本体部４０に向かって窪んだ凹部４２，４２を有している（図１では前側の凹部４２のみ図示）。
【００４２】
各中カバー４Ａの本体部４０は、図１に示すように、第１差込口２１を有している。具体的には、第１差込口２１は、一例として、一対の刃挿通孔２１０と、端子挿入孔２１１と、から構成されている。一対の刃挿通孔２１０は、差込プラグ１０１の一対の栓刃１０１Ａがそれぞれ挿入されるための孔であり、本体部４０を上下方向に貫通している。端子挿入孔２１１は、差込プラグ１０１の接地端子１０１Ｂが挿入されるための孔であり、本体部４０を上下方向に貫通している。
【００４３】
各中カバー４Ａの本体部４０は、その下面に、端子ブロック５の後述する接続部５１２，５２２及び接地用接続部５３２が一対一で収まるように、上方に窪んだ３つの収容部を有している。接続部５１２，５２２及び接地用接続部５３２は、当該３つの収容部内に収められることで、一対の刃挿通孔２１０と端子挿入孔２１１とにそれぞれ対向する。
【００４４】
上下方向の一方から見たときの本体部４０の外形寸法は、第１外カバー２Ａの貫通孔２０１の開口寸法よりも僅かに小さいように寸法関係が規定されている。各中カバー４Ａは、本体部４０の上端面が第１外カバー２Ａの天板２０Ａの上面と略面一となるように、貫通孔２０１に挿入されて第１外カバー２Ａに取り付けられている。具体的には、貫通孔２０１の前縁と後縁とに設けられている一対の引掛部２０４が、中カバー４Ａの一対の凹部４２を通って各引掛部２０４の爪２０４Ａが本体部４０の下面に引っ掛かることで、各中カバー４Ａが第１外カバー２Ａに取り付けられている。要するに、各中カバー４Ａは、一対の引掛部２０４によって下方向への脱落が抑制されている。また、フランジ部４１が貫通孔２０１の周縁部に引っ掛かっているため、中カバー４Ａが貫通孔２０１を通じて上方向に脱落することも抑制されている。
【００４５】
（２．２．５）端子ブロック
端子ブロック５は、図４に示すように、第１端子板５１と第２端子板５２と第３端子板５３とを有している。第１端子板５１、第２端子板５２及び第３端子板５３の各々は、例えば黄銅からなる１枚の金属板に対して折り曲げ加工を施すことにより形成されている。本実施形態では、第１端子板５１及び第２端子板５２の一方が電圧極、他方が接地側極であり、第３端子板５３が接地極である。
【００４６】
第１端子板５１は、図４に示すように、左右方向に沿って延びる帯板状の導電部５１１と、左右方向に沿って等間隔に配置された４つの接続部５１２とを有している。また、第１端子板５１は、矩形板状の固定片５１３と、矩形板状の突起片５１４とを有している。導電部５１１は、その厚み方向が前後方向に沿うように向けられて中ボディ４Ｂ内に収容されている。４つの接続部５１２は、導電部５１１に連結されており、導電部５１１に電気的に接続されている。各接続部５１２は、一対の接触片を有する刃受けばねであり、一対の接触片の間に差込プラグ１０１の栓刃１０１Ａを挟み込むことで栓刃１０１Ａと接続部５１２とが電気的に接続される。
【００４７】
固定片５１３は、導電部５１１の左右方向における略中央において、前方へ突出している。固定片５１３は、その厚み方向が上下方向に沿うように向けられている。固定片５１３は、その厚み方向に沿って貫通するねじ孔を有している。電源コード６の電線６１は、例えば、その先端に取り付けられている圧着端子の孔に挿入されたねじ５１５を固定片５１３のねじ孔に挿通してねじ止め固定することで、第１端子板５１に対して電気的に接続されている。
【００４８】
突起片５１４は、導電部５１１の左右方向における略中央よりも右端寄りの位置において、前方へ突出している。突起片５１４は、固定片５１３と同様に、その厚み方向が上下方向に沿うように向けられている。突起片５１４は、その厚み方向に沿って貫通する孔を有している。第２基板１２から延びる一対のリード線１２０のうちの一方は、突起片５１４の孔に挿入されてはんだ等によって固定されることで、第１端子板５１に対して電気的に接続されている。
【００４９】
第２端子板５２は、第１端子板５１と同様に、左右方向に沿って延びる帯板状の導電部５２１と、左右方向に沿って等間隔に配置された４つの接続部５２２とを有している。また、第２端子板５２は、矩形板状の固定片５２３と、矩形板状の突起片５２４とを有している。導電部５２１は、その厚み方向が前後方向に沿うように向けられて中ボディ４Ｂ内に収容されている。４つの接続部５２２は、導電部５２１に連結されており、導電部５２１に電気的に接続されている。各接続部５２２は、一対の接触片を有する刃受けばねであり、一対の接触片の間に差込プラグ１０１の栓刃１０１Ａを挟み込むことで栓刃１０１Ａと接続部５２２とが電気的に接続される。
【００５０】
固定片５２３は、導電部５２１の左右方向における略中央において、後方へ突出している。固定片５２３は、その厚み方向が上下方向に沿うように向けられている。固定片５２３は、その厚み方向に沿って貫通するねじ孔を有している。電源コード６の電線６２は、例えば、その先端に取り付けられている圧着端子の孔に挿入されたねじ５２５を固定片５２３のねじ孔に挿通してねじ止め固定することで、第２端子板５２に対して電気的に接続されている。
【００５１】
突起片５２４は、導電部５２１の右端において、右方へ突出している。突起片５２４は、固定片５２３と同様に、その厚み方向が上下方向に沿うように向けられている。突起片５２４は、その厚み方向に沿って貫通する孔を有している。第２基板１２から延びる一対のリード線１２０のうちの他方は、突起片５２４の孔に挿入されてはんだ等によって固定されることで、第２端子板５２に対して電気的に接続されている。
【００５２】
第３端子板５３は、図４に示すように、左右方向に沿って延びる帯板状の接地用導電部５３１と、左右方向に沿って等間隔に配置された４つの接地用接続部５３２とを有している。また、第３端子板５３は、矩形板状の固定片５３３を有している。接地用導電部５３１は、その厚み方向が前後方向に沿うように向けられて中ボディ４Ｂ内に収容されている。４つの接地用接続部５３２は、接地用導電部５３１に連結されており、接地用導電部５３１に電気的に接続されている。各接地用接続部５３２は、一対の接触片を有する刃受けばねであり、一対の接触片の間に差込プラグ１０１の接地端子１０１Ｂを挟み込むことで接地端子１０１Ｂと接地用接続部５３２とが電気的に接続される。
【００５３】
固定片５３３は、接地用導電部５３１の左右方向における略中央よりも右端寄りの位置において、後方へ突出している。固定片５３３は、その厚み方向が上下方向に沿うように向けられている。固定片５３３は、その厚み方向に沿って貫通するねじ孔を有している。電源コード６の電線６３は、例えば、その先端に取り付けられている圧着端子の孔に挿入されたねじ５３５を固定片５３３のねじ孔に挿通してねじ止め固定することで、第３端子板５３に対して電気的に接続されている。
【００５４】
本実施形態のテーブルタップ１は、電源コード６の電源プラグが壁等に設けられたコンセントに接続されることで、商用の交流電源（例えば、１００Ｖ、６０Ｈｚ）のような電源から電力を電気器具へ供給可能となっている。
【００５５】
（２．２．６）中ボディ
中ボディ４Ｂは、中カバー４Ａと同様に、例えばユリア樹脂などの熱硬化性樹脂で形成されている。中ボディ４Ｂは、上面が開口する扁平な矩形の箱状に形成されている。中ボディ４Ｂは、端子ブロック５の第１端子板５１、第２端子板５２及び第３端子板５３を、個別に収容可能に構成されている。中ボディ４Ｂは、その内底面から上方向に突出する絶縁壁を有している。絶縁壁は、各第１差込口２１に対応する隣り合う接続部５１２と接続部５２２とを電気的に絶縁するように形成されている。また、絶縁壁は、左右方向に沿って並ぶ４つの接地用接続部５３２を、各組の接続部５１２，５２２に対して電気的に絶縁するように形成されている。
【００５６】
（２．２．７）吸着部
吸着部９Ａ，９Ｂの各々は、図３に示すように、扁平な矩形板状の永久磁石９１と、ヨーク９２とを有している。ヨーク９２は、その下面と前後両端面とが開放されていて、前後方向の一方から見たときに逆Ｕ字形状となっている。永久磁石９１及びヨーク９２の各々は、前後方向及び左右方向における中央において、厚み方向に貫通する孔を有している。永久磁石９１がヨーク９２内に収容された状態で、例えば、かしめ用のピンを永久磁石９１及びヨーク９２の上記孔に挿通させて、ピンの端部をかしめることで永久磁石９１がヨーク９２に固定されている。ヨーク９２は、その後端に、後方へ突出する突片９２０（図４参照）を有している。各吸着部９は、突片９２０を収容凹所３６の係止孔３６１に係止させて、さらにヨーク９２の前端を収容凹所３６の係止爪３６０に係止させることで、第１外ボディ３Ａに取り付けられている。テーブルタップ１は、吸着部９Ａ，９Ｂと後述する第２ブロック１Ｂの吸着部９Ｃとによって、鉄製の机やロッカーなどに取り付けることができる。
【００５７】
（２．３）第２ブロック
（２．３．１）第２ブロックの全体構成
第２ブロック１Ｂは、ＵＳＢプラグ１０２を差し込むことで、直流電力を供給可能なＵＳＢポートを２つ有している。具体的には、第２ブロック１Ｂは、第２外カバー２Ｂと、第２外ボディ３Ｂと、２つのＵＳＢコネクタ７（７Ａ，７Ｂ）と、一対のカバー８（８Ａ，８Ｂ）と、を有している。また、第２ブロック１Ｂは、第１基板１１と、変換回路と、第２基板１２と、を備えている。さらに、第２ブロック１Ｂは、２つの弾性材１３，１３と、表示素子１４と、吸着部９（９Ｃ）とを備えている。
【００５８】
（２．３．２）第１基板と第２基板
第１基板１１は、図１及び図４に示すように、２つのＵＳＢコネクタ７（７Ａ，７Ｂ）がその上面（実装面）の左端付近に実装されたプリント配線基板である。第１基板１１は、上下方向の一方から見て、左右方向に沿って細長い略矩形の板状とっている。第１基板１１は、その前縁及び後縁の右端に内側へ窪んだ窪み１１１，１１１を有している。また、第１基板１１は、その前縁及び後縁の左端に内側へ窪んだ窪み１１２，１１２を有している。さらに、第１基板１１は、前後方向の中央で、かつ、やや右寄りの位置に、その厚み方向に貫通する挿通孔１１０を有している（図１参照）。挿通孔１１０は、第２外カバー２Ｂにあるボス２０７（図３参照）が挿通するための孔である。
【００５９】
第１基板１１の実装面には、ＵＳＢプラグ１０２の導体１０２０に対する直流電力の供給状態に応じて表示用の光を発する表示素子１４が実装されている。本実施形態では、表示素子１４は、第１基板１１において、第１基板１１と第２基板１２とが並ぶ並び方向における第２基板１２とは反対側の端部（右端部）に実装されている。表示素子１４は、例えば表面実装型のＬＥＤ（Light Emitting Diode）チップであり、ＵＳＢコネクタ７に対して直列に接続されている。すなわち、表示素子１４は、ＵＳＢプラグ１０２がＵＳＢコネクタ７に接続されて通電状態となると点灯し、ＵＳＢプラグ１０２がいずれのＵＳＢコネクタ７にも接続されていないときには消灯している。したがって、表示素子１４を通じて、通電確認、及び基板上の回路異常の有無の判断を行うことができる。また、表示素子１４には、抵抗器が直列に接続されていて、表示素子１４に流れる電流を制限する。
【００６０】
各ＵＳＢコネクタ７は、例えばＵＳＢタイプＡプラグ（図１２〜図１４参照）と接続可能なコネクタ（ソケット）である。ただし、ＵＳＢコネクタの種類は特に限定されない。本実施形態では、ＵＳＢコネクタ７Ａ，７Ｂは、その向きが揃うように、第１基板１１に並べられている。つまり、ＵＳＢコネクタ７Ａ，７Ｂ内の４端子（ＶＢＵＳ、−ＤＡＴＡ、＋ＤＡＴＡ、ＧＮＤ）が形成されているプラスチック基板が、それぞれ左右方向の同じ方の側に寄って配置されるように、向きを揃えている。したがって、２つのＵＳＢプラグ１０２の表面に印されているＵＳＢのマークは、２つのＵＳＢコネクタ７Ａ，７Ｂにそれぞれ接続されたときに、いずれも左右方向の同じ方（例えば右方向）を向くことになる。
【００６１】
各ＵＳＢコネクタ７の電源端子（ＶＢＵＳ）とグランド端子（ＧＮＤ）は、それぞれ第１基板１１に形成されている配線導体（例えば銅はく）にはんだにより接続されている。各ＵＳＢコネクタ７は、第１基板１１の配線導体と複数のリード線１２１（図４参照）とを介して、第２基板１２側の直流出力端に電気的に接続されている。
【００６２】
第２基板１２は、変換回路を構成する複数の電子部品１５が実装されたプリント配線基板である。変換回路は、例えば、端子ブロック５側から受け取る交流電力（例えば１００Ｖ）を用いて、高周波の交流電圧を生成したのち、ダイオード及び電解コンデンサ等により整流及び平滑化した直流電圧を生成する。そして、変換回路は、生成された直流電圧に対してスイッチング調整を行うことで、安定化された直流電圧（例えば５Ｖ）を出力する。要するに、変換回路は、端子ブロック５側からの交流電力を直流電力に変換するように構成される。変換回路の一対の交流入力端は、図４に示すように、リード線１２０，１２０を介して、端子ブロック５における第１端子板５１の突起片５１４と第２端子板５２の突起片５２４とにそれぞれ電気的に接続されている。変換回路は、直流出力端を通じて、安定化された５Ｖの直流電圧を第１基板１１側に供給する。
【００６３】
（２．３．３）第２外カバー
第２外カバー２Ｂは、第１ブロック１Ａの第１外カバー２Ａと一体となって形成されていて、第１外カバー２Ａとともに外カバー２を構成する。したがって、第２外カバー２Ｂは、第１外カバー２Ａと同様に、例えばＡＢＳ樹脂などの熱可塑性樹脂で形成されている。第２外カバー２Ｂは、図１に示すように、天板２０Ｂと一対の第１側板２１Ｂ，２１Ｂと第２側板２２Ｂと連結板２３Ｂとで、下面及び左面が開放された扁平な箱状に形成されている。連結板２３Ｂ及び一対の第１側板２１Ｂのいずれの左端も第１ブロック１Ａの第１外カバー２Ａにつながっている。
【００６４】
天板２０Ｂは、上下方向の一方から見たときに、左右方向に長い矩形板状である。天板２０Ｂは、その第１端面２００１（上面）において、対となる２つの第２差込口２２を有している。各第２差込口２２は、天板２０Ｂの厚み方向に貫通している。各第２差込口２２は、上下方向の一方から見たときに、矩形状となっている。第２差込口２２，２２は、各々の長手方向が前後方向に沿うように、左右方向において並んで設けられている。以下では、２つの第２差込口２２を互いに区別する場合、第１ブロック１Ａ寄りに配置されている一方の第２差込口２２を「第２差込口２２１」と呼び、他方を「第２差込口２２２」と呼ぶこともある（図７Ａ参照）。
【００６５】
天板２０Ｂは、第１端面２００１における各第２差込口２２を囲む領域からそれぞれ上向きに突出したせき部２３を有している（図７Ａ参照）。各せき部２３は、上下方向の一方から見たときに４つの壁によって矩形枠状となっている。以下では、４つの壁を前壁２３１、後壁２３２、第１側壁（対向壁）２３３、第２側壁２３４と呼ぶ。第１側壁２３３及び第２側壁２３４は、いずれも前後方向に長尺である。第１側壁２３３の左右方向における幅寸法は、第２側壁２３４の左右方向における幅寸法よりも小さい。
【００６６】
各せき部２３は、平坦な上端面２３０（４つの壁２３１〜２３４の上端面）を有している（図７Ｂ参照）。上端面２３０は、周囲の平坦な第１端面２００１よりも高い位置にある。２つのせき部２３は、左右方向において面対称となる構成を採用している。すなわち、２つのせき部２３において、幅の狭い２つの第１側壁２３３同士が互いに隣接して対向している。一方、幅の広い２つの第２側壁２３４は、互いに離れた位置にある。
【００６７】
また、天板２０Ｂは、図７Ａに示すように、溝２４０を有している。溝２４０は、前後方向に沿って延びている。溝２４０は、２つのせき部２３の互いに隣接して対向する第１側壁２３３によって形成されている。つまり、溝２４０の底面は、第１端面２００１の一部である。
【００６８】
天板２０Ｂは、図７Ａに示すように、各せき部２３の第２側壁２３４と隣接するよう設けられた収容部２４１を有している。収容部２４１，２４１は、２つの弾性材１３をそれぞれ一対一に収容可能に下方へ窪んでいる。各収容部２４１は、上下方向の一方から見たときに、左右方向に沿って長尺である。
【００６９】
また、天板２０Ｂは、図７Ａに示すように、第１端面２００１における前縁と後縁とに下方へ窪んだ凹所２４２，２４２を有している。凹所２４２，２４２は、上下方向の一方から見たときに、第１端面２００１に対するカバー８Ａ，８Ｂの両方を合わせた１つの矩形状の投影領域における四隅のうち対角位置にある二隅（左前隅と右後ろ隅）の近傍に設けられている。各凹所２４２は、上下方向の一方から見たときに、左右方向に沿って延びている。各凹所２４２は、対応するカバー８の後述するガイド片８７を左右方向に沿ってガイドするように構成されている。
【００７０】
天板２０Ｂは、図７Ａに示すように、右端近くにおいて、その厚み方向に貫通する貫通孔２４３を有している。貫通孔２４３は、上下方向の一方から見たときに、前後方向に細長い矩形状である。この貫通孔２４３は、第１基板１１に実装されている表示素子１４と対向するように配置されている。天板２０Ｂには、透光性を有するランプカバー１６が貫通孔２４３を塞ぐように取り付けられている。ランプカバー１６は、例えばアクリル樹脂などの透光性樹脂によって形成されている。表示素子１４から放射された光が、ランプカバー１６を通じて器体１０の外部へ出射される。
【００７１】
天板２０Ｂは、図６に示すように、その下面２００２において、下方に突出するボス２０７を有している。ボス２０７は、円筒状であり、ねじ孔を有している。ボス２０７は、貫通孔２４３の左横に設けられている。ボス２０７は、第２外ボディ３Ｂの後述するボス３１０と対応して接触する。
【００７２】
また、天板２０Ｂは、図６に示すように、その下面２００２において、下方に突出する複数の規制リブを有している。具体的には、天板２０Ｂは、一対の第１規制リブ２５１、一対の第２規制リブ２５２、一対の第３規制リブ２５３、及び、一対の第４規制リブ２５４を有している。これらの規制リブは、第２外ボディ３Ｂに設けられている（後述する）規制リブ３７１〜３７４とともに上下方向において第１基板１１を挟み込むように構成されていて、上下方向に対する第１基板１１の変位を規制する。
【００７３】
２つの第１規制リブ２５１は、図６に示すように、天板２０Ｂの下面２００２における右端において、前後方向に並ぶように形成されている。各第１規制リブ２５１は、上下方向に沿って長く延びる帯板状となっていて、第２側板２２Ｂと一体となって形成されている。各第１規制リブ２５１の上下方向における寸法は、第２側板２２Ｂの上下方向における寸法と略等しい（図３参照）。各第１規制リブ２５１は、第１基板１１の右端と対向している。各第１規制リブ２５１は、第１基板１１の右端と接触していてもよいし、僅かに離れていてもよい。
【００７４】
第２規制リブ２５２、第３規制リブ２５３、及び第４規制リブ２５４は、図６に示すように、天板２０Ｂの下面２００２の前縁と後縁とにおいて、右端からこの順番に配置されている。
【００７５】
２つの第２規制リブ２５２は、上下方向に沿って長く延びる帯板状となっていて、前後方向において互いに対向している。各第２規制リブ２５２は、第１側板２１Ｂとそれぞれ一体となって形成されている。各第２規制リブ２５２の上下方向における寸法は、第１側板２１Ｂの上下方向における寸法と略等しい（図３参照）。また、各第２規制リブ２５２は、左右方向の一方から見たときに、略Ｌ字状に形成されている。つまり、各第２規制リブ２５２は、他方の第２規制リブ２５２と互いに対向する端部において、当該他方の第２規制リブ２５２から離れる方向に窪んだ凹み２５２Ａ（図３参照）を有している。第１基板１１は、各第２規制リブ２５２の凹み２５２Ａ内に収められることで前後方向及び上方向に対する変位が規制される。各第２規制リブ２５２は第１基板１１と接触している。
【００７６】
２つの第３規制リブ２５３は、左右方向の一方から見たときに矩形板状（図３参照）となっていて、前後方向において互いに対向している。各第３規制リブ２５３は、第１側板２１Ｂとそれぞれ一体となって形成されている。各第３規制リブ２５３の上下方向における寸法は、例えばＵＳＢコネクタ７の上下方向における寸法と略等しい。各第３規制リブ２５３の下端は、第１基板１１の上面と対向している。各第３規制リブ２５３は第１基板１１と接触している。
【００７７】
２つの第４規制リブ２５４は、上下方向の一方から見たときにＴ字形状となっていて、前後方向において互いに対向している。Ｔ字形状の各第４規制リブ２５４における前後方向に沿って延びる部位の端部は、第１側板２１Ｂとそれぞれ一体となって形成されている。各第４規制リブ２５４の上下方向における寸法は、例えばＵＳＢコネクタ７の上下方向における寸法と略等しい。各第４規制リブ２５４の下端は、第１基板１１の上面と対向している。各第４規制リブ２５４は第１基板１１と接触している。
【００７８】
また、天板２０Ｂは、図６に示すように、その下面２００２において、第１基板１１に向かって突出する複数の補強リブを有している。具体的には、天板２０Ｂは、１つの第１補強リブ２６１と、一対の第２補強リブ２６２を２組（すなわち合計４つ）と、を有している。これらの補強リブは、第２差込口２２，２２の周囲に設けられていて、ＵＳＢプラグ１０２の抜き差しに伴う上下方向に対する天板２０Ｂの変形を抑制する。第１補強リブ２６１は、矩形板状となっていて、天板２０Ｂの下面２００２から見たときに２つの第２差込口２２の間に配置されている。各組の一対の第２補強リブ２６２は、矩形板状となっていて、対応する第２差込口２２の前縁及び後縁の近傍にそれぞれ配置されている。
【００７９】
ここで、本実施形態の天板２０Ｂは、図３及び図６に示すように、その下面２００２において、第１凸壁１７１と第２凸壁１７２を有している。第１凸壁１７１及び第２凸壁１７２は、下面２００２から下方に向かって突出するように形成されている。第１凸壁１７１と第２凸壁１７２は、第２外ボディ３Ｂの後述する第３凸壁１７３とともに隔壁１７を構成する。第１凸壁１７１は、左右方向の一方から見たときに、Ｌ字の板状に形成されている（図３参照）。すなわち、第１凸壁１７１は、前後方向に沿って延びる第１部位１７１Ａと、第１部位１７１Ａの前端から上下方向に沿って延びている第２部位１７１Ｂとから構成されている。第２部位１７１Ｂは、前側の第１側板２１Ｂと一体となって形成されている。第２凸壁１７２は、前後方向において、第１凸壁１７１の第２部位１７１Ｂと対向する。第２凸壁１７２は、後ろ側の第１側板２１Ｂと一体となって形成されている。
【００８０】
第１凸壁１７１の第２部位１７１Ｂの下端、及び第２凸壁１７２の下端は、いずれも第１側板２１Ｂの下端にまで延びている。具体的には、第１凸壁１７１の第２部位１７１Ｂ、及び第２凸壁１７２は、各第１側板２１Ｂの後述する（スリット２７を構成する）切欠き部２７０よりも下に突出することなく延びている。
【００８１】
また、図６に示すように、第１凸壁１７１の第１部位１７１Ａの後端と、第２凸壁１７２との間には、凸壁が形成されておらず、隙間が存在する。したがって、第２外ボディ３Ｂの第３凸壁１７３が上下方向において第１凸壁１７１及び第２凸壁１７２と合わさることで、複数のリード線１２１が通るための挿通口１７４（図３参照）が形成される。
【００８２】
さらに、天板２０Ｂは、図６に示すように、その下面２００２の第１凸壁１７１及び第２凸壁１７２よりも左側の領域において、下方に突出する５つの延出リブ２５５を有している。５つの延出リブ２５５は、いずれも上下方向に沿って長く延びていて、第１側板２１Ｂの下端よりも僅かに突出している。これらの延出リブ２５５は、第２外ボディ３Ｂの後述する複数の支持リブ３７５とともに上下方向において第２基板１２を挟み込むように構成されていて、上下方向に対する第２基板１２の変位を規制する。
【００８３】
連結板２３Ｂは、図３及び図６に示すように、天板２０Ｂの左端と、当該左端よりも下にある第１ブロック１Ａ側の天板２０Ａの右端とを連結している。連結板２３Ｂは、矩形板状に形成されていて、上下方向に対して僅かに傾斜している。連結板２３Ｂは、その内表面（下面）において、下方に突出するボス２０８を有している。ボス２０８は、円筒状であり、ねじ孔を有している。ボス２０８は、第２外ボディ３Ｂの後述するボス３１１と対応して接触する。
【００８４】
第１側板２１Ｂ，２１Ｂは、天板２０Ｂの前後方向における両端から下方に突出している。各第１側板２１Ｂは、前後方向の一方から見たときに、左右方向に沿って細長い矩形板状に形成されている。第１側板２１Ｂ，２１Ｂは、その左端において、略下半分が第１外カバーの第１側板２１Ａ，２１Ａの右端と、略上半分が連結板２３Ｂの前後端と、それぞれ連続してつながっている。各第１側板２１Ｂの上下方向における寸法は、第１側板２１Ａの上下方向における寸法よりも大きい。
【００８５】
各第１側板２１Ｂは、図７Ｂに示すように、その第２端面２００３（外表面）において、第２外ボディ３Ｂとともにガイド溝２８を構成するための凹部２８０を有している。凹部２８０は、第１側板２１Ｂの下端から僅かに上方へ窪んでいる。凹部２８０は、左右方向に細長く延びている。凹部２８０は、前後方向の一方から見たときに、左右方向における２つの第２差込口２２間の中心位置（すなわち溝２４０）から下方向に真っ直ぐ降ろした直線が、凹部２８０の左右方向における中央を通るように配置されている。
【００８６】
ここで、凹部２８０は、一対の切欠き部２７０を有している。各切欠き部２７０は、凹部２８０内の上面よりもさらに一段上方へ窪んでいる。一対の切欠き部２７０は、凹部２８０内の上面において、左右方向に沿って並ぶように配置されている。一対の切欠き部２７０は、前後方向の一方から見たときに、上記直線に対して左右対称となるように配置されている。ガイド溝２８及びスリット２７については、「（２．３．５）スリットとガイド溝」の欄で詳しく説明する。
【００８７】
（２．３．４）第２外ボディ
第２外ボディ３Ｂは、第１ブロック１Ａの第１外ボディ３Ａと一体となって形成されていて、第１外ボディ３Ａとともに外ボディ３を構成する。したがって、第２外ボディ３Ｂは、第１外ボディ３Ａと同様に、例えばＡＢＳ樹脂などの熱可塑性樹脂で形成されている。第２外ボディ３Ｂは、図５Ａに示すように、底板３０Ｂと、一対の第１側板３１Ｂと、第２側板３２Ｂとで、上面及び左面が開放された扁平な箱状に形成されている。
【００８８】
一対の第１側板３１Ｂは、底板３０Ｂの前後方向における両端から上方に突出している。各第１側板３１Ｂは、前後方向の一方から見たときに、細長い矩形板状に形成されている。各第１側板３１Ｂは、その左端において、第１ブロック１Ａの第１外ボディ３Ａの第１側板３１Ａの右端とそれぞれ連続してつながっている。各第１側板３１Ｂの上下方向における寸法は、第１側板３１Ａの上下方向における寸法と等しい。第２側板３２Ｂは、底板３０Ｂの右端から上方に突出している。第２側板３２Ｂは、左右方向の一方から見たときに、矩形板状に形成されている。
【００８９】
底板３０Ｂは、上下方向の一方から見たときに、左右方向に長い矩形板状である。底板３０Ｂは、その上面に、上方に突出する２つのボス３１０，３１１を有している（図５Ａ参照）。各ボスは、円筒状であり、上下方向に貫通する挿通孔３０４を有している。
【００９０】
ボス３１０は、底板３０Ｂの上面における右端寄りに設けられ、第２外カバー２Ｂの天板２０Ｂにあるボス２０７の先端と接触するように構成されている。ここで、天板２０Ｂにあるボス２０７が第１基板１１に設けられている挿通孔１１０（図１参照）に挿通された状態で、ボス３１０と接触しているため、第１基板１１は、前後及び左右方向における変位が規制されている。
【００９１】
ボス３１１は、底板３０Ｂの上面における左端付近に設けられ、第２外カバー２Ｂの連結板２３Ｂにあるボス２０８の先端と接触するように構成されている。ここで、第２基板１２は、その左端がボス３１１と接触しているため、左方向への更なる変位が規制されている。
【００９２】
底板３０Ｂは、その下面において、吸着部９（９Ｃ）が収容されるための１つの収容凹所３６（３６Ｃ）を有している（図３参照）。収容凹所３６Ｃは、底板３０Ｂの下面の右端付近に設けられている。収容凹所３６Ｃは、上下方向の一方から見たときに矩形状に形成されていて、上方に向かって窪んでいる。
【００９３】
また、底板３０Ｂは、その上面において、収容凹所３６Ｃに対応する領域の面が周囲の面に比べて一段高くなるように形成されている。言い換えると、底板３０Ｂは、その上面において上方に向かって矩形状に突出した突出台３７（３７Ｃ）を有している（図５Ａ及び５Ｂ参照）。突出台３７Ｃと後ろ側の第１側板３１Ｂは、それらの間に隙間が形成されるように互いに対向している。一方、突出台３７Ｃと前側の第１側板３１Ａとは、隙間無く一体となって形成されている。底板３０Ｂも、底板３０Ａの収容凹所３６Ａ，３６Ｂと同様に、収容凹所３６Ｃの内底面に、係止爪３６０と係止孔３６１とを有している。
【００９４】
ここで、底板３０Ｂは、図５Ａ及び５Ｂに示すように、底板３０Ａの排水口１８Ａ及び１８Ｂと同様に、器体１０の外部空間と器体１０の内部空間とをつなげる一対の排水口（排水孔）１８（１８Ｃ，１８Ｃ）を有している。一対の排水口１８Ｃは、突出台３７Ｃの上端面の前端付近において上下方向に貫通しており、左右方向に互いに並んでいる。
【００９５】
また、底板３０Ｂは、図５Ａに示すように、その上面に、上方に突出する複数の規制リブを有している。具体的には、底板３０Ｂは、一対の第１規制リブ３７１、一対の第２規制リブ３７２、一対の第３規制リブ３７３、及び、一対の第４規制リブ３７４を有している。これらの規制リブは、第２外カバー２Ｂの複数の規制リブ２５１〜２５４とともに上下方向において第１基板１１を挟み込むように構成されていて、上下方向に対する第１基板１１の変位を規制する。
【００９６】
第１規制リブ３７１、第２規制リブ３７２、第３規制リブ３７３、及び第４規制リブ３７４は、図５Ａに示すように、底板３０Ｂの上面の前縁と後縁とにおいて、右端からこの順番に配置されている。
【００９７】
２つの第１規制リブ３７１は、図５Ａに示すように、底板３０Ｂの上面の右端付近（突出台３７Ｃの左側）において、前後方向に互いに対向している。各第１規制リブ３７１は、上下方向に沿って長く延びていて、第１側板３１Ｂと一体となって形成されている。各第１規制リブ３７１は、上下方向の一方から見て、Ｔ字状に形成されている。
【００９８】
各第１規制リブ３７１の上下方向における寸法は、第１側板３１Ｂの上下方向における寸法よりも大きい。すなわち、各第１規制リブ３７１は、その上端が第１側板３１Ｂの上端よりも上に突き出ている（図１参照）。さらに、各第１規制リブ３７１は、図１に示すように、その上端に、第１基板１１を支持する支持凹所３７１Ａを有している。すなわち、前側の第１規制リブ３７１の上端後部と、後ろ側の第１規制リブ３７１の上端前部とが切り欠かれている。第１基板１１は、支持凹所３７１Ａ，３７１Ａの底面に載せ置かれることで、前後方向及び下方向への変位が規制される。さらに、各第１規制リブ３７１は、図１に示すように、左方へ突出する支持突片３７１Ｂを有している。第１基板１１の各窪み１１１内の左端面が支持突片３７１Ｂに当てられているため、第１基板１１の右方への変位も規制される。
【００９９】
２つの第２規制リブ３７２は、図５Ａに示すように、底板３０Ｂの上面の左右方向における中央よりもやや右寄りの位置において、前後方向に互いに対向している。各第２規制リブ３７２は、上下方向に沿って長く延びる帯板状となっていて、第１側板３１Ｂとそれぞれ一体となって形成されている。各第２規制リブ３７２は、その上端が第１側板３１Ｂの上端よりも上方に突き出ている（図１参照）。ただし、第２規制リブ３７２の上下方向における寸法は、第１規制リブ３７１の上下方向における寸法よりも小さく、底板３０Ｂの上面から第１規制リブ３７１の支持凹所３７１Ａの内底面までの距離と略等しい。
【０１００】
第１基板１１の下面は、第２規制リブ３７２，３７２に接触している。すなわち、第２規制リブ３７２は、他の規制リブ３７１、３７３及び３７４とともに第１基板１１の下方向への変位を規制している。
【０１０１】
ここで、第２規制リブ３７２，３７２は、図４に示すように、上下方向の一方から見たときに、第１基板１１上に実装されている右側のＵＳＢコネクタ７Ｂよりも僅かに右の位置に配置されている。したがって、ＵＳＢプラグ１０２が差し込まれるときに第１基板１１が受ける応力を効果的に器体１０側に逃がすことができる。要するに、第１基板１１の変形を抑制することができる。
【０１０２】
２つの第３規制リブ３７３は、図５Ａに示すように、第２規制リブ３７２よりも左側の位置において、前後方向に互いに対向している。各第３規制リブ３７３は、上下方向に沿って長く延びる帯板状となっていて、第１側板３１Ｂとそれぞれ一体となって形成されている。第３規制リブ３７３の上下方向における寸法は、第２規制リブ３７２の上下方向における寸法と略等しい。第１基板１１の下面は、第３規制リブ３７３，３７３に接触している。すなわち、第３規制リブ３７３は、他の規制リブ３７１、３７２及び３７４とともに第１基板１１の下方向への変位を規制している。
【０１０３】
ここで、第３規制リブ３７３，３７３は、図４に示すように、上下方向の一方から見たときに、第１基板１１上に実装されているＵＳＢコネクタ７Ａ，７Ｂの間の位置に配置されている。したがって、ＵＳＢプラグ１０２が差し込まれるときに第１基板１１が受ける応力を効果的に器体１０側に逃がすことができる。要するに、第３規制リブ３７３は、第２規制リブ３７２とともに、第１基板１１の変形を抑制することができる。
【０１０４】
２つの第４規制リブ３７４は、図５Ａに示すように、底板３０Ｂの上面の左右方向における中央付近において、前後方向に互いに対向している。各第４規制リブ３７４は、上下方向に沿って長く延びていて、第１側板３１Ｂと一体となって形成されている。また、各第４規制リブ３７４は、上下方向の一方から見て、Ｔ字状に形成されている。
【０１０５】
各第４規制リブ３７４は、その上端が第１側板３１Ｂの上端よりも上方に突き出ている（図１参照）。さらに、各第４規制リブ３７４は、図１に示すように、その上端に、第１基板１１を支持する支持凹所３７４Ａを有している。すなわち、前側の第４規制リブ３７４の上端後部と、後ろ側の第４規制リブ３７４の上端前部が切り欠かれている。第１基板１１は、支持凹所３７４Ａ，３７４Ａの底面に載せ置かれることで、前後方向及び下方向への変位が規制される。さらに、各第４規制リブ３７４は、図１に示すように、右方へ突出する支持突片３７４Ｂを有している。第１基板１１の各窪み１１２内の右端面が支持突片３７４Ｂに当てられているため、第１基板１１の左方への変位も規制される。
【０１０６】
また、第４規制リブ３７４，３７４は、図４に示すように、上下方向の一方から見たときに、第１基板１１上に実装されているＵＳＢコネクタ７Ａよりも僅かに左の位置に配置されている。したがって、ＵＳＢプラグ１０２が差し込まれるときに第１基板１１が受ける応力を効果的に器体１０側に逃がすことができる。要するに、第４規制リブ３７４は、他の規制リブ３７２，３７３とともに、第１基板１１の変形を抑制することができる。
【０１０７】
ここで、本実施形態の底板３０Ｂは、図５Ａに示すように、その下面に、第３凸壁１７３を有している。第３凸壁１７３は、底板３０Ｂの下面から上方へ突出するように形成されている。第３凸壁１７３は、第２外カバー２Ｂの第１凸壁１７１及び第２凸壁１７２とともに隔壁１７を構成する。第３凸壁１７３は、左右方向の一方から見たときに、略矩形の板状に形成されている。第３凸壁１７３は、その上端が第１側板３１Ｂの上端よりも上方に突き出てさらに第１基板１１の上面よりも上に配置されるように形成されている。第３凸壁１７３の上下方向における寸法は、例えば、第１規制リブ３７１の上下方向における寸法よりもやや大きい。
【０１０８】
第３凸壁１７３の前端の下部と後端の下部とは、第１側板３１Ｂ，３１Ｂとそれぞれ一体となって形成されている。第３凸壁１７３は、その前端と後端とにそれぞれ下方に窪んだ窪みを有し、これらの窪みに第１凸壁１７１の第２部位１７１Ｂと第２凸壁１７２とが嵌まり込んでいる。これらの凸壁１７１〜１７３によって構成された隔壁１７は、第１基板１１と第２基板１２とが並ぶ並び方向（左右方向）における、第１基板１１と第２基板１２との間に設けられている（図４参照）。また、隔壁１７は、左右方向に貫通する挿通口１７４を有している。第１基板１１の入力端と第２基板１２の直流出力端とを電気的に接続する複数のリード線１２１は、挿通口１７４を通るように配線されている。
【０１０９】
さらに、底板３０Ｂは、図５Ａに示すように、その上面の第３凸壁１７３よりも左側の領域において、上方に突出する７つの支持リブ３７５を有している。７つの支持リブ３７５のうち、２つは前側の第１側板３１Ｂと、２つは後ろ側の第１側板３１Ｂと、２つは第３凸壁１７３と、最後の１つはボス３１１と、それぞれ一体的に形成されている。７つの支持リブ３７５は、いずれも第１側板３１Ｂの上端までは延びておらず、第１側板３１Ｂの上下方向における寸法に比べて十分に短い寸法（例えば第１側板３１Ｂの半分程度の寸法）を有している。言い換えると、支持リブ３７５は、第１基板１１が上に載せ置かれる第２規制リブ３７２及び第３規制リブ３７３の各々の上下方向における寸法に比べて十分に短い寸法を有している。
【０１１０】
７つの支持リブ３７５は、その上端に載せ置かれた第２基板１２を、第２外カバー２Ｂの５つの延出リブ２５５とともに上下方向において挟み込むように構成されている。要するに、支持リブ３７５と延出リブ２５５は、上下方向に対する第２基板１２の変位を規制している。また、第２基板１２の前端と後端とは、各第１側板３１Ｂから内側に向かって僅かに突出している複数の小突起と接触しているため、第２基板１２の前後方向における変位も規制されている。さらに、第２基板１２の右端は、隔壁１７の第３凸壁１７３に接触し、その左端は、ボス３１１に接触しているため、第２基板１２の左右方向における変位も規制されている。
【０１１１】
要するに、本実施形態の器体１０は、第１基板１１と第２基板１２とが左右方向に並ぶ状態でこれらを支持し、さらに、隔壁１７によって、第１基板１１及び第２基板１２が収容されている空間を分け隔てるように構成されている。さらに、上下方向の高さ位置で言えば、第１基板１１は、器体１０内において、第２基板１２よりも高い位置で支持されている。これにより、第１基板１１に実装されている２つのＵＳＢコネクタ７は、第２差込口２２に対して出来るだけ近い位置で対向している。一方、第２基板１２は、出来るだけ底板３０Ｂに近い位置に配置されているため、第２基板１２の上面に実装されている複数の電子部品１５を収容可能な空間が器体１０内において形成されている。
【０１１２】
（２．３．５）スリットとガイド溝
ところで、外ボディ３は、図１に示すように、その開放された上面の周縁部において上方へ僅かに突出した嵌合突起３１２を有している。嵌合突起３１２は、その周縁部全体にわたって形成されている。嵌合突起３１２は、外ボディ３の外表面（例えば第１側板３１Ｂの外表面）よりも内側に設けられている。この嵌合突起３１２は、外カバー２の開放された下面から外カバー２内に嵌め込まれて、外ボディ３の外表面と外カバー２の外表面とが互いに略面一となっている。
【０１１３】
ここで、上述したように第２外カバー２Ｂの各第１側板２１Ｂは、その第２端面２００３に、凹部２８０を有している。ただし、嵌合突起３１２は、上下方向の一方から見たときに、凹部２８０よりも器体１０の内側に配置されるように構成されている。言い換えると、嵌合突起３１２の一部が凹部２８０を通じて露出している（図７Ｂ参照）。要するに、外カバー２と外ボディ３とが組み合わさることで、左右方向に細長く延びている内側に窪んだガイド溝２８が構成される。
【０１１４】
さらに、上述したように第２外カバー２Ｂの各第１側板２１Ｂには、凹部２８０内の上面よりもさらに一段上方へ窪んでいる切欠き部２７０，２７０が設けられている。ただし、嵌合突起３１２は、図７Ｂに示すように、前後方向の一方から見たときに、切欠き部２７０を塞ぐほど上方へ延びていない。したがって、外カバー２と外ボディ３とが組み合わさることで、器体１０の側板を厚み方向に貫通するスリット２７が構成される。
【０１１５】
（２．３．６）カバーと弾性材
一対のカバー８は、同一の成形品であり、互いに同形、同寸法を有している。各カバー８は、例えばＡＢＳ樹脂などの熱可塑性樹脂で形成されている。各カバー８は、器体１０に取り付けられて、カバー対象となる第２差込口２２を覆う第１の位置と、第２差込口２２を露出する第２の位置との間で、器体１０に対してスライド移動可能に構成されている。本実施形態では、第２差込口２２の数は２つであり、カバー８の数も２つである。つまり、各カバー８のカバー対象となる第２差込口２２の数は、それぞれ１つである。以下、左側の第２差込口２２１をカバー対象としているカバー８を「カバー８Ａ」と呼び、右側の第２差込口２２２をカバー対象としているカバー８を「カバー８Ｂ」と呼ぶ。
【０１１６】
各カバー８は、カバー対象となる第２差込口２２に対して、他のカバー８とは独立してスライド可能に構成されている。つまり、カバー８Ａとカバー８Ｂとは、互いに独立して可動である。以下では、カバー８がスライドする方向を「スライド方向」と呼ぶこともある。「スライド方向」とは、後述する本体部８１の第１対向面８１０（下面）と各側部８２の第２対向面８２０（内表面）の両方に（交差せずに）沿った方向である。本実施形態では、「スライド方向」は、左右方向に相当する。各カバー８は、第１対向面８１０が第１端面２００１に沿い、かつ、第２対向面８２０が第２端面２００３に沿うように、第１の位置と第２の位置との間でスライド移動するように構成されている。
【０１１７】
各カバー８は、図８Ａ、８Ｂ及び図９に示すように、本体部８１と、一対の側部８２（８２Ａ，８２Ｂ）と、を有している。さらに、各カバー８は、ガイドリブ８３，８３と、引掛爪８４，８４と、第１突出部８５（突出部）と、一対の第２突出部８６，８６（突出部）と、ガイド片８７と、押付片８８と、を有している。
【０１１８】
本体部８１は、図８Ｂに示すように、上下方向の一方から見て、略矩形の板状に形成されている。本体部８１は、図８Ａに示すように、上方向に凸となるように緩やかに湾曲している。本体部８１の第１対向面８１０（下面）は、器体１０の第２差込口２２が設けられている第１端面２００１（上面）と対向する。本体部８１の上面には、カバーのスライド方向を示すためのマーク８０（図１０参照）が設けられている。マーク８０は、例えば、本体部８１の上面の一部の領域を三角形状に上方へ凸とすることで形成されている。
【０１１９】
側部８２Ａ，８２Ｂは、図９に示すように、本体部８１の前後方向における両端から下方に向かって突出している。すなわち、本体部８１及び側部８２Ａ，８２Ｂは、左右方向の一方から見たときに、全体として逆Ｕ字形状となっている。各側部８２の第２対向面８２０（内表面）は、第１側板２１Ｂの第２端面２００３（外表面）と対向する。
【０１２０】
ガイドリブ８３，８３は、図９に示すように、側部８２，８２の第２対向面８２０の下部において、前後方向に沿って互いに近づく方向に突出している。各ガイドリブ８３は、前後方向の一方から見たときに、左右方向に沿って細長く形成されていて、その左右方向における寸法は、側部８２の左右方向における寸法と略等しい。
【０１２１】
ガイドリブ８３，８３は、スライド方向に沿って延びる器体１０のガイド溝２８，２８に嵌め込まれている。カバー８は、ガイド溝２８によって、第１側板２１Ｂの第２端面２００３に沿いスライド方向に交差する方向（例えば上下方向）への移動が規制される。
【０１２２】
引掛爪８４，８４は、図９に示すように、側部８２，８２の第２対向面８２０において、ガイドリブ８３の左右方向における中央の上付近に設けられている。各引掛爪８４，８４は、第２対向面８２０から前後方向に沿って互いに近づく方向に突出している。各引掛爪８４は、その先端部から下方に突出する突出片８４０を有している。引掛爪８４，８４の突出片８４０，８４０は、器体１０のスリット２７，２７の縁部にそれぞれ引っ掛けられている。したがって、カバー８は、第１側板２１Ｂの第２端面２００３に沿いスライド方向に交差する方向（例えば上下方向）への移動がさらに規制される。
【０１２３】
カバー８Ａは、引掛爪８４がスリット２７内の右端面に接触したときに第１の位置となり、引掛爪８４がスリット２７内の左端面に接触したときに第２の位置となるように、スリット２７の左右方向の寸法が規定されている。また、カバー８Ｂは、引掛爪８４がスリット２７内の左端面に接触したときに第１の位置となり、引掛爪８４がスリット２７内の右端面に接触したときに第２の位置となるように、スリット２７の左右方向の寸法が規定されている。要するに、各カバー８は、引掛爪８４とスリット２７によって、左右方向における可動範囲が制限されている。
【０１２４】
第１突出部８５は、図９に示すように、本体部８１の第１対向面８１０において、スライド方向の両端のうちの一方の端に設けられている。一方、第２突出部８６，８６は、本体部８１の第１対向面８１０において、上記両端のうちの他方の端に設けられている。第１突出部８５及び第２突出部８６，８６は、いずれも天板２０Ｂの第１端面２００１に近づく向きに突出している。これらの突出部は、第１端面２００１の上をスライド可能な程度に接触しているか、又は第１端面２００１に対して僅かに接触しない程度に近接している。
【０１２５】
カバー８Ａの第１突出部８５は、第１対向面８１０の左端に設けられ、第２突出部８６，８６は、第１対向面８１０の右端に設けられている。一方、カバー８Ｂの第１突出部８５は、右端に設けられ、第２突出部８６，８６は、第１対向面８１０の左端に設けられている。要するに、カバー８Ａとカバー８Ｂとは、それらが並ぶ左右方向において、面対称となる構成を採用している（図１０参照）。
【０１２６】
各カバー８の第２突出部８６，８６は、前後方向において互いに所定の間隔を空けて設けられている。この所定の間隔は、せき部２３の前後方向における寸法よりも僅かに大きい。要するに、第２突出部８６，８６は、カバー８のスライド移動時に、カバー対象となる第２差込口２２の周辺にあるせき部２３に引っ掛からないように構成されている。
【０１２７】
ガイド片８７は、図９に示すように、本体部８１の第１対向面８１０において、下方に向かって突出している。ガイド片８７は、左右方向の一方から見たときに、略矩形の板状となっている。本実施形態では、ガイド片８７は、側部８２Ａ，８２Ｂのうち側部８２Ｂ寄りの、第１対向面８１０の端に設けられている（図９参照）。したがって、カバー８Ａのガイド片８７は、第１対向面８１０の前端に、カバー８Ｂのガイド片８７は、第１対向面８１０の後端に、それぞれ配置されている。
【０１２８】
ガイド片８７，８７は、図７Ａに示すように、スライド方向に沿って延びている第２外カバー２Ｂの凹所２４２，２４２にそれぞれ嵌め込まれている。したがって、カバー８は、凹所２４２によって、天板２０Ｂの第１端面２００１に沿いスライド方向に交差する方向（例えば前後方向）への移動が規制される。
【０１２９】
押付片８８は、図９に示すように、本体部８１の第１対向面８１０において、下方に向かって突出している。押付片８８は、本体部８１の第１対向面８１０の左右方向及び前後方向における中央に設けられている。押付片８８は、左右方向の一方から見たときに矩形の板状となっている。押付片８８は、第２外カバー２Ｂの収容部２４１に収容されている弾性材１３から弾性力を受けるように、収容部２４１内に嵌め込まれている。
【０１３０】
２つの弾性材１３は、例えばらせん状のコイルばねである。各弾性材１３は、押付片８８を通じて、カバー８が第２の位置から第１の位置へスライド移動する向きの弾性力をカバー８に付与する。具体的には、カバー８Ａは、弾性材１３から右向きの弾性力を受けていて、カバー８Ｂは、弾性材１３から左向きの弾性力を受けている。したがって、ＵＳＢコネクタ７が使用されていないとき、図７Ａ及び７Ｂに示すように、カバー８Ａ，８Ｂは、いずれも第１の位置で維持される。
【０１３１】
ここで、カバー８Ａとカバー８Ｂとは、スライド方向において、互いに対向する一端部を有している。すなわち、カバー８Ａとカバー８Ｂとは、カバー８Ａの右端部とカバー８Ｂの左端部とが互いに対向するように、器体１０に対して左右方向に沿って一列に並んで取り付けられている。本実施形態では、カバー８Ａの右端部とは、本体部８１及び一対の側部８２の右端に相当し、カバー８Ｂの左端部とは、本体部８１及び一対の側部８２の左端に相当する。カバー８Ａ及びカバー８Ｂは、一方のカバー８が第１の位置から第２の位置へスライド移動するとき他方のカバー８から離れ、一方のカバー８が第２の位置から第１の位置へスライド移動するとき他方のカバー８に近づくように構成されている。
【０１３２】
カバー８Ａとカバー８Ｂとは、いずれもが第１の位置にあるとき、対向する右端部と左端部とが互いに合わさるように、スリット２７の左右方向の寸法及び弾性材１３の弾性力等が設定されている。また、カバー８Ａとカバー８Ｂとは、いずれもが第１の位置にあるとき、上下方向の一方から見て、右端部と左端部とが第２外カバー２Ｂの溝２４０に沿って互いに合わさるように構成されている（図７Ａ参照）。
【０１３３】
（２．４）外カバー、外ボディ及びカバーの組立手順
以下、外ボディ３に対する外カバー２及びカバー８の組立手順について簡単に説明する。ただし、第１基板１１、第２基板１２、中ボディ４Ｂ、端子ブロック５は、外ボディ３内に予め収容されているものとする。電源コード６の電線６１〜６３は、端子ブロック５に接続されて、シース６０の先端部分は、外ボディ３の第２半円溝３２０（図４参照）に嵌め込まれているものとする。また、３つの吸着部９も、外ボディ３の下面にある３つの収容凹所にそれぞれ嵌め込まれているものとする。以下で説明する組立手順（Ａ）〜（Ｆ）は単なる一例であり、下記の手順とは異なる手順によって組み立てられてもよい。
【０１３４】
（Ａ）組立作業者は、まず、外カバー２の収容部２４１，２４１内にそれぞれ弾性材１３，１３を嵌め込む。このとき、弾性材１３は、そのコイルばねの圧縮方向がカバー８のスライド方向（左右方向）に一致するように嵌め込まれる。
【０１３５】
（Ｂ）組立作業者は、外カバー２の第２差込口２２１に対応するカバー８Ａを外カバー２に取り付ける。具体的には、カバー８Ａのマーク８０の先が左を向くようにカバー８Ａを把持する。そして、左の弾性材１３の右端を左方へ撓ませた状態で、側部８２，８２を少し外方に撓ませながらカバー８Ａを外カバー２の第１端面２００１と第２端面２００３とを包むように外カバー２に嵌め込み、カバー８Ａの押付片８８を収容部２４１に挿入する。このとき、図７Ｂに示すように、カバー８Ａの引掛爪８４を切欠き部２７０に挿入し、図７Ａに示すように、カバー８Ａのガイド片８７も凹所２４２内に挿入する。
【０１３６】
なお、収容部２４１の底面には貫通孔が設けられているため、外カバー２の裏側からドライバー等の工具の先端を挿通孔に入れて弾性材１３を左方へ撓ませた状態で、外カバー２の表側からカバー８Ａの押付片８８を挿入することができる。弾性材１３の撓みを解除すると、弾性材１３が弾性復帰し、その右端が押付片８８を右方へ押すため、カバー８Ａが外カバー２に仮保持される。
【０１３７】
（Ｃ）続いて組立作業者は、外カバー２の第２差込口２２２に対応するカバー８Ｂを外カバー２に取り付ける。具体的には、カバー８Ｂのマーク８０の先が右を向くようにカバー８Ｂを把持する。そして、右の弾性材１３の左端を右方へ撓ませた状態で、側部８２，８２を少し外方に撓ませながらカバー８Ｂを外カバー２の第１端面２００１と第２端面２００３とを包むように外カバー２に嵌め込み、カバー８Ｂの押付片８８を収容部２４１に挿入する。カバー８Ａと同様に、カバー８Ｂの引掛爪８４を切欠き部２７０に挿入し、カバー８Ｂのガイド片８７も凹所２４２内に挿入する。弾性材１３の撓みを解除すると、弾性材１３が弾性復帰し、その左端が押付片８８を左方へ押すため、カバー８Ｂが外カバー２に仮保持される。
【０１３８】
（Ｄ）組立作業者は、４つの中カバー４Ａを、外カバー２の４つの貫通孔２０１内にそれぞれ嵌め込む。すなわち、各貫通孔２０１の前縁と後縁にある引掛部２０４，２０４を、中カバー４Ａの凹部４２，４２に挿入して、引掛部２０４の爪２０４Ａを中カバー４Ａに引っ掛けさせる。その結果、中カバー４Ａが外カバー２に対して取り付けられる。
【０１３９】
（Ｅ）組立作業者は、４つの中カバー４Ａとカバー８Ａ，８Ｂとが外カバー２に取り付けられた状態で外カバー２を把持し、外カバー２の開放された下面を外ボディ３の開放された上面に向ける。そして、外ボディ３の上面の周縁部の全体にわたって突出した嵌合突起３１２が外カバー２内に入り込むように外カバー２を外ボディ３に嵌め込む。
【０１４０】
（Ｆ）最後に、組立作業者は、５本のねじ１０３を外ボディ３の裏側からボス３０２，３０３，３０３，３１０，３１１の挿通孔３０４に挿通してねじ込む。その結果、５本のねじ１０３の先端は、外カバー２側にあるボス２０３，２０２，２０２，２０７，２０８のねじ孔に入り込む。これにより外ボディ３と外カバー２の組み立てが完了する。
【０１４１】
（２．５）ＵＳＢプラグの取付け及び取外し
以下、テーブルタップ１に対するＵＳＢプラグ１０２の取付け及び取外しについて、主に図１０〜図１４を参照しながら説明する。ここでは、例えば、スマートフォン等の携帯端末機器の利用者が、その携帯端末機器内に内蔵されているバッテリを充電するために、テーブルタップ１を利用することを想定する。
【０１４２】
利用者は、携帯端末機器側に接続されたＵＳＢケーブルの先端にあるＵＳＢプラグ１０２を、テーブルタップ１のＵＳＢコネクタ７Ａ，７Ｂのいずれかに選択的に接続することができる。例えば、右側にあるＵＳＢコネクタ７ＢにＵＳＢプラグ１０２を接続する場合、利用者は、図１０に示すように、カバー８Ｂの三角形状のマーク８０の先端が指す向き（右向き）に沿って指先でカバー８Ｂを動かす。すると、カバー８Ｂは、その押付片８８が収容部２４１内の弾性材１３の弾性力に抗して弾性材１３を撓ませながら、右方向へスライド移動する。このとき、カバー８Ｂのガイドリブ８３，８３がガイド溝２８，２８内を右方向に移動するとともに、引掛爪８４，８４もスリット２７，２７内を右方向へ移動する。同じく、カバー８Ｂのガイド片８７も、凹所２４２内を右方向へ移動する。カバー８Ｂが右方向へある程度スライド移動すると、各引掛爪８４がスリット２７内の右端面に当たるため、カバー８Ｂの更なる右方向への移動が規制される。
【０１４３】
この状態になると、右側の第２差込口２２２がせき部２３とともに外部に露出する。すなわち、カバー８Ｂの（第２差込口２２２を覆っていた）第１の位置から（第２差込口２２２を露出する）第２の位置への移動が達成される（図１０参照）。
【０１４４】
利用者は、この状態を指先で保ちながら、図１２に示すように、ＵＳＢプラグ１０２の導体１０２０（図１３参照）を第２差込口２２２に差し込むことで、ＵＳＢプラグ１０２とＵＳＢコネクタ７Ｂとが電気的に接続される。その後、利用者は、指先をカバー８Ｂから離すと、弾性材１３の弾性復帰によりカバー８Ｂの押付片８８が左方向へ押されて、カバー８Ｂが左方向へ移動する。ただし、カバー８Ｂは、その本体部８１の左端がＵＳＢプラグ１０２の金属部分１０３０（図１３参照）に当たるため、そこでカバー８Ｂのスライド移動は止まる。これでＵＳＢプラグ１０２の取付けが完了する。なお、このときカバー８ＢがＵＳＢプラグ１０２をあまり強く押さないように弾性材１３の弾性力が設定されていることが望ましい。
【０１４５】
そして、携帯端末機器のバッテリの充電が完了すると、利用者は、カバー８Ｂを指先で少し右方向へスライドさせてから、ＵＳＢプラグ１０２を第２差込口２２２から抜き取り、カバー８Ｂを放せばよい。カバー８Ｂは、弾性材１３の弾性復帰により自動的に元の（第２差込口２２２を覆う）第１の位置へ戻る。
【０１４６】
詳しい説明は省略するが、利用者は、ＵＳＢプラグ１０２を左側にあるＵＳＢコネクタ７Ａに接続する場合には、図１１及び図１３に示すように、カバー８Ａの三角形状のマーク８０の先端が指す向き（左向き）に沿って指先でカバー８Ａを動かせばよい。その後、左側の第２差込口２２２がせき部２３とともに外部に露出するので、ＵＳＢプラグ１０２の導体１０２０を第２差込口２２１に差し込むことで、ＵＳＢプラグ１０２とＵＳＢコネクタ７Ａとが電気的に接続される。
【０１４７】
また、言うまでも無く、利用者は、図１４に示すように、ＵＳＢコネクタ７Ａ，７Ｂを同時に利用することができる。例えば、携帯端末機器側のＵＳＢプラグ１０２をＵＳＢコネクタ７Ａに接続した状態で、別の携帯端末機器側のＵＳＢプラグ１０２をＵＳＢコネクタ７Ｂに接続することができる。
【０１４８】
（２．６）異物に対する構造１
以下、テーブルタップ１における異物（埃、飲み物等の液体、及び食べ物等のかす）の第２差込口２２からの侵入を抑制するためのカバー８及び器体１０の構造に着目して説明する。
【０１４９】
まず、テーブルタップ１は、カバー８が第１位置、すなわち第２差込口２２を覆っている状態にあるとき、第２差込口２２に対する直接的な異物の落下を防止することができる。また、カバー８は、単に第２差込口２２及びその周縁のみを覆っているのではない。つまり、カバー８は、第２差込口２２が設けられた天板２０Ｂの第１端面２００１と、第１側板２１Ｂ，２１Ｂの第２端面２００３の両方にわたって覆うように構成されている。したがって、異物が第２差込口２２に対して器体１０の側方（前後方向）から侵入することも抑制している。
【０１５０】
さらに、カバー８は、左右方向における一端に第１突出部８５（突出部）を有し、他端に一対の第２突出部８６，８６（突出部）を有している。したがって、異物が第２差込口２２に対して器体１０のスライド方向（左右方向）から侵入することも抑制している。特に、異物が飲み物等の液体の場合、液体が器体１０にかかると、天板２０Ｂの第１端面２００１上を伝って第２差込口２２に向かい易いが、上記の突出部８５，８６，８６が、より効果的に液体の浸入を抑制する。
【０１５１】
一方、器体１０は、その第１端面２００１における各第２差込口２２を囲む領域からそれぞれ上向きに突出したせき部２３を有している。したがって、液体が器体１０にかかって天板２０Ｂの第１端面２００１上を伝って第２差込口２２に向かったとしても、せき部２３によりせき止めることができる。また、第２差込口２２，２２の間には、前後方向に沿って延びる溝２４０が設けられているため、液体が溝２４０内に入り、溝２４０を伝って前後方向にはけ易い。特に、溝２４０は、カバー８Ａとカバー８Ｂのいずれもが第１の位置にあるときこれらの右端部と左端部とが合わさる境目の真下に配置されている。したがって、液体がカバー８Ａの右端部とカバー８Ｂの左端部との間のほんの僅かな隙間から下に流れ落ちたとしても、その真下にある溝２４０で液体を受けて、第２差込口２２への浸入を抑制することができる。
【０１５２】
（２．７）異物に対する構造２
以下、テーブルタップ１において、器体１０内に浸入した飲み物等の液体（異物）に対する器体１０の内部構造に着目して、図１５Ａ及び１５Ｂを参照しながら説明する。図１５Ｂにおける点線矢印Ｂ１〜Ｂ４は、液体の流れを簡易的に示したものである。
【０１５３】
まず、第１基板１１に関して、その上面にはＵＳＢコネクタ７及び表示素子１４等のみが実装されていて、例えば５Ｖ程度のような比較的低い直流電圧が供給されている（弱電側基板）。したがって、仮に液体が第１基板１１にかかっても、ＵＳＢコネクタ７が接触不良を起こす程度であって、例えば種々の電子部品が破損する、あるいは絶縁低下が生じて信頼性が低下するといった事態は起こり難い。
【０１５４】
一方、第２基板１２に関して、直流電力へ変換するための交流電力（例えば１００Ｖ）を端子ブロック５から供給されている（強電側基板）。そして、第２基板１２には、変換回路を構成する種々の電子部品１５が実装されている（図１５Ａ参照）。したがって、仮に液体が第２基板１２にかかると、種々の電子部品１５が破損する、あるいは絶縁低下が生じて信頼性が低下するといった事態が起こり易い。
【０１５５】
これに対して、本実施形態では、まず、第１基板１１と第２基板１２とが、器体１０内において、上下方向に沿って並んで収容されているのではなく、第１差込口２１と第２差込口２２とが並ぶ並び方向、すなわち、左右方向に沿って並んで収容されている。具体的には、第１基板１１と第２基板１２と端子ブロック５（接続部５１２，５２２，５３２）とが、上下方向の一方から見たときに、第１基板１１、第２基板１２、端子ブロック５の順に左右方向に沿って一列に並んで器体１０内に収容されている。つまり、第２差込口２２の真下にある基板は、ＵＳＢコネクタ７が実装されている第１基板１１のみである。したがって、仮に飲み物等の液体が第２差込口２２を通じて器体１０内に浸入したとしても（点線矢印Ｂ１）、液体が直接第２基板１２にかかるといった事態を回避することができる。
【０１５６】
さらに、本実施形態では、単に第１基板１１と第２基板１２とが左右方向に沿って並んで収容されているだけではなく、第２基板１２は、隔壁１７によって第１基板１１が収容されている空間から隔離されている。したがって、水位が隔壁１７の（リード線１２１が通る）挿通口１７４を超えるほどの大量の液体が浸入しない限りは、第２基板１２が収容されている空間側へ液体が流れ込むことを抑制することができる。
【０１５７】
また、本実施形態の器体１０は、器体１０の外部空間とつながっている、対となる排水口１８を３組（合計６つの排水口）有している。したがって、器体１０内に浸入した液体を器体１０から排出することができる。
【０１５８】
特に、排水口（排水孔）１８Ｃ，１８Ｃは、上下方向の一方から見たときに、器体１０の底板（第２壁部）において、第１基板１１と第２基板１２とが並ぶ並び方向における第１基板１１の第２基板１２とは反対側の端部側（右端部）の領域に配置されている。第２差込口２２を通じて器体１０内に浸入した液体は、第１基板１１の上を伝って周縁部から下方へ流れ落ち（点線矢印Ｂ２）、器体１０の底に溜まる。そして、液体がある程度器体１０の底に溜まり、その水位が器体１０の底の右端にある突出台３７Ｃの上端面を超えると（点線矢印Ｂ３）、液体が排水口１８Ｃ，１８Ｃから排出される（点線矢印Ｂ４）。したがって、第２基板１２が収容されている空間側へ液体が流れ込むことをより抑制することができる。
【０１５９】
また、排水口１８Ｂ，１８Ｂは、上下方向の一方から見たときに、器体１０の底板（第２壁部）において、第２基板１２と端子ブロック５との間の領域に配置されている。したがって、仮に第２基板１２が収容されている空間側へ液体が流れ込んでも、液体を排水口１８Ｂ，１８Ｂから排出することができる。
【０１６０】
ところで、本実施形態では、各排水口１８は、図１５Ａ及び図１５Ｂに示すように、器体１０の底板３０Ｂの下面に直接設けられているのではなく、吸着部９が収容されている収容凹所３６内に設けられている。つまり、各排水口１８の下方には吸着部９が配置されている。したがって、例えば排水口１８から誤ってピン等の異物が入り込み、器体１０内の電子部品１５等が破損することを、吸着部９によって防ぐことができる。
【０１６１】
（３）変形例
以下に、いくつかの変形例について列記する。以下では上述した実施形態を「基本例」と呼ぶ。以下に説明する変形例も、上述した基本例と適宜組み合わせて適用可能である。
【０１６２】
基本例では、電気器具等の電源コードの差込プラグ１０１が接続可能なコンセントの口数が、一例として４個である。しかし、コンセントの口数は特に限定されない。また、基本例では、ＵＳＢプラグ１０２が接続可能なＵＳＢコネクタ７及び第２差込口２２の数は一例として２つずつである。しかし、これらの数は特に限定されない。
【０１６３】
基本例では、１つのカバー８のカバー対象は、１つの第２差込口２２である。しかし、１つのカバー８のカバー対象が、２つ以上の第２差込口２２であってもよい。また、第２差込口２２の数は、特に限定されない。つまり、第２差込口２２の数が１つの場合、カバー８は、１つであってもよい。
【０１６４】
基本例では、溝２４０が２つのせき部２３の互いに対向する第１側壁（対向壁）２３３，２３３によって形成されている。しかし、溝２４０は、せき部２３とは別に、天板２０Ｂの第１端面２００１の一部の領域を凹ませることで形成されていてもよい。ただし、基本例のように溝２４０がせき部２３によって形成される方が、器体１０の製造が容易となる。
【０１６５】
基本例では、カバー８Ａ，８Ｂが互いに独立してスライド移動可能となっている。しかし、カバー８Ａ，８Ｂは、互いに連動してスライド移動可能となっていてもよい。ただし、基本例のようにカバー８Ａ，８Ｂが互いに独立してスライド移動可能である方が、異物が侵入する可能性をより低減することができる。
【０１６６】
基本例では、第１基板１１は、上下方向において、第２外カバー２Ｂの第２規制リブ２５２、第３規制リブ２５３及び第４規制リブ２５４と接触している。しかし、第１基板１１は、これらの規制リブと僅かに離れた状態で器体１０内に収容されていてもよい。
【０１６７】
基本例では、第１基板１１は、上下方向において、第２外カバー２Ｂの第１補強リブ２６１及び第２補強リブ２６２と接触していない。しかし、第１基板１１は、これらの補強リブと接触した状態で器体１０内に収容されていてもよい。
【０１６８】
基本例では、第２基板１２は、上下方向において、第２外カバー２Ｂの延出リブ２５５と接触している。しかし、第２基板１２は、これらの延出リブと僅かに離れた状態で器体１０内に収容されていてもよい。
【０１６９】
基本例では、カバー８の各引掛爪８４の突出片８４０は、下方に突出している。しかし、突出片８４０は、上方へ突出していてもよい。
【０１７０】
（４）利点
以上説明したように、第１の態様に係るテーブルタップ１は、差込口（第２差込口２２）を有する器体１０とコネクタ（ＵＳＢコネクタ７）とカバー８とを備える。コネクタは、器体１０に収容され、差込口に差し込まれたプラグ（ＵＳＢプラグ１０２）の導体１０２０が電気的に接続されることで導体１０２０に直流電力の供給がなされる。カバー８は、器体１０に取り付けられて、カバー対象となる差込口を覆う第１の位置と差込口を露出する第２の位置との間で器体１０に対してスライド移動可能である。器体１０は、差込口が設けられた第１端面２００１と、導体１０２０が差し込まれる差込方向に沿う第２端面２００３と、を有する。カバー８は、第１端面２００１に対向する第１対向面８１０と、第２端面２００３に対向する第２対向面８２０と、を有する。カバー８は、第１対向面８１０が第１端面２００１に沿い、かつ、第２対向面８２０が第２端面２００３に沿うように、第１の位置と第２の位置との間でスライド移動するように構成されている。第１の態様によれば、埃、飲み物等の液体、及び食べ物等のかすといった異物が侵入して信頼性が低下することを防ぐことができる。
【０１７１】
第２の態様に係るテーブルタップ１は、第１の態様において、カバー８を複数備えることが好ましい。器体１０は、差込口を複数有する。複数のカバー８の各々のカバー対象は、１つ以上の差込口であり、複数のカバー８の各々は、カバー対象に対して、他のカバー８とは独立してスライド移動可能である。第２の態様によれば、カバー８が他のカバー８と連動してスライド移動する場合に比べて、異物が侵入する可能性をより低減することができる。
【０１７２】
第３の態様に係るテーブルタップ１に関して、第２の態様において、複数のカバー８は、対となる２つのカバー８を少なくとも含み、複数の差込口は、対となる２つの差込口を少なくとも含むことが好ましい。対となる２つのカバー８のカバー対象は、対となる２つの差込口である。器体１０は、第１端面２００１において、対となる２つの差込口の間に溝２４０を有する。対となる２つのカバー８は、カバー８がスライド移動するスライド方向において、互いに対向する一端部をそれぞれ有する。対となる２つのカバー８は、一方のカバー８が第１の位置から第２の位置へスライド移動するとき他方のカバー８から離れ、一方のカバー８が第２の位置から第１の位置へスライド移動するとき他方のカバー８に近づくように構成されている。対となる２つのカバー８は、いずれもが第１の位置にあるとき、差込方向の一方から見て、一端部同士が溝２４０に沿って互いに合わさるように構成されている。第３の態様によれば、対となる２つのカバー８が合わさる一端部同士間の僅かな隙間から異物（特に液体）が侵入しても、溝２４０で異物を受けることができる。
【０１７３】
第４の態様に係るテーブルタップ１に関して、第１〜第３の態様のいずれか１つにおいて、器体１０は、第１端面２００１における差込口を囲む領域から突出したせき部２３を更に有することが好ましい。第４の態様によれば、異物が差込口から侵入する可能性をより低減することができる。
【０１７４】
第５の態様に係るテーブルタップ１に関して、第３の態様において、器体１０は、第１端面２００１における差込口を囲む領域から突出したせき部２３を更に有することが好ましい。溝２４０は、対となる２つの差込口をそれぞれ囲む２つのせき部２３の互いに対向する対向壁（第１側壁２３３）によって形成されている。第５の態様によれば、せき部２３とは別に溝２４０を設ける必要が無いため、器体１０の製造が容易となる。
【０１７５】
第６の態様に係るテーブルタップ１は、第１〜第５の態様のいずれか１つにおいて、カバー８が第２の位置から第１の位置へスライド移動する向きの弾性力をカバー８に付与する弾性材１３を、更に備えることが好ましい。第６の態様によれば、コネクタの不使用時には、カバー８を第１の位置で維持させることができ、異物が差込口から侵入する可能性をより低減することができる。
【０１７６】
第７の態様に係るテーブルタップ１に関して、第１〜第６の態様のいずれか１つにおいて、カバー８は、突出部（８５，８６）を有することが好ましい。突出部は、第１対向面８１０において、カバー８がスライド移動するスライド方向における両端のうち少なくとも一方の端に、第１端面２００１に近づく向きに突出している。第７の態様によれば、異物がスライド方向におけるカバー８と器体１０との隙間から侵入する可能性を低減することができる。
【０１７７】
第８の態様に係るテーブルタップ１に関して、第１〜第７の態様のいずれか１つにおいて、器体１０は、第２端面２００３において、スリット２７を更に有することが好ましい。カバー８は、第２対向面８２０において、スリット２７の縁部に引っ掛けられる引掛爪８４を有している。引掛爪８４は、スリット２７の縁部に引っ掛けられた状態において、その先端部から差込方向に沿って突出する突出片８４０を有している。第８の態様によれば、カバー８を器体１０に対して安定的にスライド可能に取り付けることができる。
【０１７８】
第９の態様に係るテーブルタップ１に関して、第１〜第８の態様のいずれか１つにおいて、器体１０は、第２端面２００３において、カバー８がスライド移動するスライド方向に沿って延びているガイド溝２８を更に有することが好ましい。カバー８は、第２対向面８２０において、ガイド溝２８に嵌め込まれて、ガイド溝２８によって第２端面２００３に沿いスライド方向に交差する方向への移動が規制されるガイドリブ８３を有する。第９の態様によれば、カバー８を器体１０に対して安定的にスライド可能に取り付けることができる。
【０１７９】
第１０の態様に係るテーブルタップ１に関して、第１〜第９の態様のいずれか１つにおいて、器体１０は、第１端面２００１において、カバー８がスライド移動するスライド方向に沿って延びている凹所２４２を更に有することが好ましい。カバー８は、第１対向面８１０において、凹所２４２に嵌め込まれて、凹所２４２によって第１端面２００１に沿いスライド方向に交差する方向への移動が規制されるガイド片８７を有する。第１０の態様によれば、カバー８を器体１０に対して安定的にスライド可能に取り付けることができる。
【符号の説明】
【０１８０】
１  テーブルタップ
７  ＵＳＢコネクタ（コネクタ）
８  カバー
８１０  第１対向面
８２０  第２対向面
８３  ガイドリブ
８４  引掛爪
８４０  突出片
８５  第１突出部（突出部）
８６  第２突出部（突出部）
８７  ガイド片
１０  器体
１３  弾性材
２２  第２差込口（差込口）
２３  せき部
２３０  第１側壁（対向壁）
２４０  溝
２４２  凹所
２７  スリット
２８  ガイド溝
２００１  第１端面
２００３  第２端面
１０２  ＵＳＢプラグ（プラグ）
１０２０  導体
【図１】
2018174111.tif 000003
【図２】
2018174111.tif 000004
【図３】
2018174111.tif 000005
【図４】
2018174111.tif 000006
【図５】
2018174111.tif 000007
【図６】
2018174111.tif 000008
【図７】
2018174111.tif 000009
【図８】
2018174111.tif 000010
【図９】
2018174111.tif 000011
【図１０】
2018174111.tif 000012
【図１１】
2018174111.tif 000013
【図１２】
2018174111.tif 000014
【図１３】
2018174111.tif 000015
【図１４】
2018174111.tif 000016
【図１５】
2018174111.tif 000017